(57)【要約】      （修正有）【課題】下りリンクの制御チャネルを検索する領域を適切に設定し、基地局装置のスケジューリングの複雑さを低減する。【解決手段】予め定められた周波数帯域幅を有する第一のコンポーネントキャリアにおいて複数のコンポーネントキャリアに対する下りリンク制御チャネルを受信する移動局装置であって、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、前記第一のコンポーネントキャリアの制御チャネルエレメントの数、対応する検索領域が配置されるコンポーネントキャリアの数に基づき設定する制御部と、前記制御部で設定された複数の前記検索領域において自装置宛ての下りリンク制御チャネルの復号を行なう受信部と、を有する。【選択図】図４
2012028956.tif 000002
【特許請求の範囲】
【請求項１】
予め定められた周波数帯域幅を有するコンポーネントキャリアを１個以上用いて信号の受信を行ない、第一のコンポーネントキャリアにおいて複数のコンポーネントキャリアに対する下りリンク制御チャネルを受信する移動局装置であって、
前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する制御部と、
前記制御部で設定された複数の前記検索領域において自装置宛ての下りリンク制御チャネルの復号を行なう受信部と、を有することを特徴とする移動局装置。
【請求項２】
前記制御部は、前記第一のコンポーネントキャリアにおいて対応する検索領域が配置されるコンポーネントキャリアの数と１つの検索領域を構成する制御チャネルエレメントの数を乗算した値を第一の値として用い、前記第一の値から１つの検索領域を構成する制御チャネルエレメントの数を減算した値を第二の値として用い、前記第二の値を前記第一のコンポーネントキャリア対応する検索領域が配置されるコンポーネントキャリアの数で除算した値を第三の値として用い、１つの検索領域を構成する制御チャネルエレメントの数から前記第三の値を減算した値に基づいてオフセットを設定することを特徴とする請求項１に記載の移動局装置。
【請求項３】
予め定められた周波数帯域幅を有するコンポーネントキャリアを１個以上用いて信号の受信を行ない、第一のコンポーネントキャリアにおいて複数のコンポーネントキャリアに対する下りリンク制御チャネルを受信する移動局装置であって、
前記第一のコンポーネントキャリアにおいて、前記下りリンク制御チャネルの復号を行なう複数個の制御チャネルエレメントからなる領域である検索領域を複数のコンポーネントキャリアに対して構成し、
各検索領域を構成する制御チャネルエレメントの中で番号の最も小さい制御チャネルエレメント間の番号の差であるオフセットを、前記第一のコンポーネントキャリアに配置される全ての前記検索領域における検索領域を構成する制御チャネルエレメントの数の総和が前記第一のコンポーネントキャリアの制御チャネルエレメントの数より大きいか否かに応じて異なる値に設定する制御部と、
前記制御部で設定された複数の前記検索領域において自装置宛ての下りリンク制御チャネルの復号を行なう受信部と、を有することを特徴とする移動局装置。
【請求項４】
前記制御部は、前記第一のコンポーネントキャリアに配置される全ての前記検索領域における検索領域を構成する制御チャネルエレメントの数の総和が前記第一のコンポーネントキャリアの制御チャネルエレメントの数より大きい場合、前記第一のコンポーネントキャリアにおいて対応する検索領域が配置されるコンポーネントキャリアの数と１つの検索領域を構成する制御チャネルエレメントの数を乗算した値を第一の値として用い、前記第一の値から１つの検索領域を構成する制御チャネルエレメントの数を減算した値を第二の値として用い、前記第二の値を前記第一のコンポーネントキャリア対応する検索領域が配置されるコンポーネントキャリアの数で除算した値を第三の値として用い、１つの検索領域を構成する制御チャネルエレメントの数から前記第三の値を減算した値に基づいてオフセットを設定し、前記第一のコンポーネントキャリアに配置される全ての前記検索領域における検索領域を構成する制御チャネルエレメントの数の総和が前記第一のコンポーネントキャリアの制御チャネルエレメントの数以下の場合、１つの検索領域を構成する制御チャネルエレメントの数に基づいてオフセットを設定することを特徴とする請求項３に記載の移動局装置。
【請求項５】
複数の移動局装置および前記複数の移動局装置と通信を行なう基地局装置から構成され、予め定められた周波数帯域幅を有するコンポーネントキャリアを１個以上用いて信号の送受信を行ない、第一のコンポーネントキャリアにおいて複数のコンポーネントキャリアに対する下りリンク制御チャネルを送受信する通信システムであって、
前記基地局装置は、
前記移動局装置に１個以上の下りリンク制御チャネルを送信する送信部を備え、
前記移動局装置は、
前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する制御部と、
前記制御部で設定された複数の前記検索領域において自装置宛ての下りリンク制御チャネルの復号を行なう受信部と、を有することを特徴とする通信システム。
【請求項６】
予め定められた周波数帯域幅を有するコンポーネントキャリアを１個以上用いて信号の受信を行ない、第一のコンポーネントキャリアにおいて複数のコンポーネントキャリアに対する下りリンク制御チャネルを受信する移動局装置に用いられる通信方法において、
前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定するステップと、
設定された複数の前記検索領域において自装置宛ての下りリンク制御チャネルの復号を行なうステップと、を少なくとも含むことを特徴とする通信方法。
【請求項７】
移動局装置に実装されることにより、前記移動局装置に複数の機能を発揮させる集積回路であって、
予め定められた周波数帯域幅を有するコンポーネントキャリアを１個以上用いて信号の受信を行なう機能と、
第一のコンポーネントキャリアにおいて複数のコンポーネントキャリアに対する下りリンク制御チャネルを受信する機能と、
前記第一のコンポーネントキャリアにおいて、前記下りリンク制御チャネルの復号を行なう複数個の制御チャネルエレメントからなる領域である検索領域を複数のコンポーネントキャリアに対して構成する機能と、
各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する機能と、
設定された複数の前記検索領域において自装置宛ての下りリンク制御チャネルの復号を行なう機能と、を含む一連の機能を、前記移動局装置に発揮させることを特徴とする集積回路。
【発明の詳細な説明】
【技術分野】
【０００１】
本発明は、複数の移動局装置と基地局装置から構成される通信システムにおいて、下りリンクの制御チャネルを検索する領域を適切に設定し、移動局装置と基地局装置間で適切な通信を行なうことができる移動局装置、通信システム、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において検討されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＬＴＥとの後方互換性(backward compatibility)を実現することが求められている。ＬＴＥ−Ａに対応した基地局装置が、ＬＴＥ−Ａに対応した移動局装置およびＬＴＥに対応した移動局装置の両方の移動局装置と同時に通信を行うこと、およびＬＴＥ−Ａに対応した移動局装置が、ＬＴＥ−Ａに対応した基地局装置およびＬＴＥに対応した基地局装置と通信を行なうことを実現することがＬＴＥ−Ａに対して要求される。その要求を実現するためにＬＴＥ−ＡではＬＴＥと同一のチャネル構造を少なくともサポートすることが検討されている。チャネルとは、信号の送信に用いられる媒体を意味し、チャネルの種類としては、下りリンクのデータの送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび上りリンク制御情報の送受信に用いられる物理上りリンク共用チャネル（Physical Uplink Shared CHannel: PUSCH）、上りリンクの制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。
【０００４】
ＬＴＥ−Ａでは、ＬＴＥと同一のチャネル構造の周波数帯域（以下、「コンポーネントキャリア（Component Carrier: CC）」と呼称する。要素周波数帯域とも呼称する。）を複数用いて、１つの周波数帯域（広帯域な周波数帯域）として使用する技術（周波数帯域集約; Spectrum aggregation、キャリアアグリゲーション; Carrier aggregation、Frequency aggregation等とも呼称する。）が検討されている。具体的には、キャリアアグリゲーションを用いた通信では、下りリンクのCC（以降、下りリンクコンポーネントキャリア; DL CCと呼称する。）毎に、下りリンクのチャネルが送受信され、上りリンクのCC（以降、上りリンクコンポーネントキャリア; UL CCと呼称する。）毎に上りリンクのチャネルが送受信される。つまり、キャリアアグリゲーションは、上りリンクと下りリンクにおいて、基地局装置と複数の移動局装置が複数のコンポーネントキャリアを用いて複数のチャネルで信号を同時に送受信する技術である。
【０００５】
ＰＤＣＣＨで送受信される下りリンクの制御情報の中には、ＰＤＳＣＨのリソースの割り当てに関する制御情報が含まれる。ＬＴＥ−Ａでは、ＰＤＣＣＨと、そのＰＤＣＣＨにリソースの割り当てに関する制御情報が含まれるＰＤＳＣＨが異なるＤＬ  ＣＣに配置される技術（Cross CC schedulingと呼称する。）が検討されている。ＰＤＳＣＨが配置されるＤＬ  ＣＣを物理下りリンク共用チャネルコンポーネントキャリア（PDSCH CC）と呼称する。ＰＤＣＣＨが配置されるＤＬ  ＣＣを物理下りリンク制御チャネルコンポーネントキャリア（PDCCH CC）と呼称する。なお、キャリアアグリゲーションで用いられる全てのＤＬ  ＣＣにＰＤＳＣＨが配置される可能性がある場合、全てのＤＬ  ＣＣはＰＤＳＣＨ  ＣＣとなる。基地局装置は、移動局装置毎にキャリアアグリゲーションに用いる複数のＤＬ  ＣＣの中で何れのＤＬ  ＣＣをＰＤＣＣＨ  ＣＣとして用いるかを決定する。次に、基地局装置は、移動局装置毎に各ＰＤＣＣＨ  ＣＣを何れのＰＤＳＣＨ  ＣＣと対応させるかを決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨが、そのＰＤＳＣＨ  ＣＣと対応付けられたＰＤＣＣＨ  ＣＣに配置されることを意味する。基地局装置は、各ＰＤＳＣＨ  ＣＣに対してＰＤＣＣＨ  ＣＣとして対応付けられたＤＬ  ＣＣを示す情報を移動局装置に通知する。移動局装置は、基地局装置より通知された情報に基づき、各ＰＤＳＣＨ  ＣＣのＰＤＳＣＨのリソースの割り当てに関する制御情報を含むＰＤＣＣＨが配置される可能性のあるＤＬ  ＣＣを認識する。
【０００６】
なお、ＰＤＳＣＨ  ＣＣと、そのＰＤＳＣＨ  ＣＣと対応付けられたＰＤＣＣＨ  ＣＣが同じＤＬ  ＣＣであってもよい。また、１つのＰＤＣＣＨ  ＣＣに複数のＰＤＳＣＨ  ＣＣが対応付けられてもよい。言い換えると、複数のＰＤＳＣＨ  ＣＣが同じＰＤＣＣＨ  ＣＣに対応付けられてもよい。
【０００７】
ＬＴＥ−Ａでは、移動局装置がＰＤＣＣＨを検索する領域（Search space、UE-specific search spaceと呼称する。）がＰＤＣＣＨ  ＣＣに対して設定される。Ｓｅａｒｃｈ  ｓｐａｃｅは、複数の制御チャネルエレメント（Control Channel Element: CCE）から構成される。ＣＣＥの数は、ＰＤＣＣＨ  ＣＣの周波数帯域幅などに依存する。また、各ＣＣＥはＰＤＣＣＨ  ＣＣ内において番号付けが行なわれる。移動局装置は、自装置に割り当てられた識別子を入力パラメータの１つに用いたハッシュ関数により、Ｓｅａｒｈ  ｓｐａｃｅを構成するＣＣＥの中で番号の最も小さいＣＣＥを決定する。ハッシュ関数により決定されたＣＣＥから番号の連続する複数のＣＣＥからＳｅａｒｃｈ  ｓｐａｃｅは構成され、番号の連続する複数のＣＣＥの数は予め決められている。
【０００８】
基地局装置は、移動局装置において設定されるＳｅａｒｃｈ  ｓｐａｃｅ内の１個以上のＣＣＥを用いてＰＤＣＣＨを送信する。例えば、基地局装置は１個のＣＣＥを用いてＰＤＣＣＨを送信したり、２個のＣＣＥを用いてＰＤＣＣＨを送信したり、４個のＣＣＥを用いてＰＤＣＣＨを送信したり、８個のＣＣＥを用いてＰＤＣＣＨを送信する。なお、１個のＰＤＣＣＨに複数のＣＣＥを用いることを制御チャネルエレメント集約（CCE aggregation）と呼称し、１個のＰＤＣＣＨに用いられるＣＣＥの個数を制御チャネルエレメント集約レベル（CCE aggregation level）と呼称する。例えば、１個のＰＤＣＣＨに用いられるＣＣＥの個数が１個のＣＣＥ  ａｇｇｒｅｇａｔｉｏｎ  ｌｅｖｅｌはＣＣＥ  ａｇｇｒｅｇａｔｉｏｎ  ｌｅｖｅｌ  １，１個のＰＤＣＣＨに用いられるＣＣＥの個数が２個のＣＣＥ  ａｇｇｒｅｇａｔｉｏｎ  ｌｅｖｅｌはＣＣＥ  ａｇｇｒｅｇａｔｉｏｎ  ｌｅｖｅｌ  ２，１個のＰＤＣＣＨに用いられるＣＣＥの個数が４個のＣＣＥ  ａｇｇｒｅｇａｔｉｏｎ  ｌｅｖｅｌはＣＣＥ  ａｇｇｒｅｇａｔｉｏｎ  ｌｅｖｅｌ  ４，１個のＰＤＣＣＨに用いられるＣＣＥの個数が８個のＣＣＥ  ａｇｇｒｅｇａｔｉｏｎ  ｌｅｖｅｌはＣＣＥ  ａｇｇｒｅｇａｔｉｏｎ  ｌｅｖｅｌ  ８と呼称する。移動局装置に対して用いられる可能性のあるＣＣＥ  ａｇｇｒｅｇａｔｉｏｎ  ｌｅｖｅｌの組み合わせは予め決められている。
【０００９】
移動局装置は、Ｓｅａｒｃｈ  ｓｐａｃｅ内の１個以上のＣＣＥを用いて受信信号の復号を行ない、自装置宛てのＰＤＣＣＨを検出するための処理を行なう（Blind decodingと呼称する）。移動局装置は、ＣＣＥ  ａｇｇｒｅｇａｔｉｏｎ  ｌｅｖｅｌ毎に異なるＳｅａｒｃｈ  ｓｐａｃｅを設定する。移動局装置は、ＣＣＥ  ａｇｇｒｅｇａｔｉｏｎ  ｌｅｖｅｌ毎に異なるＳｅａｒｃｈ  ｓｐａｃｅ内の予め決められた組み合わせのＣＣＥを用いてＢｌｉｎｄ  ｄｅｃｏｄｉｎｇを行なう。
【００１０】
１つのＰＤＣＣＨ  ＣＣに複数のＰＤＳＣＨ  ＣＣが対応付けられている場合、各ＰＤＳＣＨ  ＣＣに対して独立なＳｅａｒｃｈ  ｓｐａｃｅが設定される。言い換えると、１つのＰＤＣＣＨ  ＣＣに複数のＰＤＳＣＨ  ＣＣが対応付けられている場合、そのＰＤＣＣＨ  ＣＣに複数のＳｅａｒｃｈ  ｓｐａｃｅが設定される。ＬＴＥ−Ａでは、そのような場合に、各ＰＤＳＣＨ  ＣＣに対するＳｅａｒｃｈ  ｓｐａｃｅを基準となるＰＤＳＣＨ  ＣＣに対するＳｅａｒｃｈ  ｓｐａｃｅに対してオフセットを用いて設定することが検討されている（非特許文献１、非特許文献２）。例えば、オフセットは、各Ｓｅａｒｃｈ  ｓｐａｃｅの番号の最も小さいＣＣＥ間の番号の差として定義される。基準となるＰＤＳＣＨ  ＣＣに対するＳｅａｃｈ  ｓｐａｃｅの番号の最も小さいＣＣＥから、定義されたオフセットの整数倍間隔が離れたＣＣＥをＳｅａｒｃｈ  ｓｐａｃｅ内で番号の最も小さいＣＣＥとして構成するＳｅａｒｃｈ  ｓｐａｃｅが、各ＰＤＳＣＨ  ＣＣに対するＳｅａｒｃｈ  ｓｐａｃｅとして設定される。
【００１１】
オフセットの一例として、Ｓｅａｒｃｈ  ｓｐａｃｅを構成するＣＣＥの数を用いることが検討されている。非特許文献１においては、Ｓｅａｒｃｈ  ｓｐａｃｅ内のＰＤＣＣＨの候補（PDCCH candidate）数を入力パラメータとして用いた式により、オフセットがＳｅａｒｃｈ  ｓｐａｃｅを構成するＣＣＥの数になることを実現している。ＰＤＣＣＨ  ｃａｎｄｉｄａｔｅは、Ｓｅａｒｃｈ  ｓｐａｃｅ内で移動局装置がＢｌｉｎｄ  ｄｅｃｏｄｉｎｇを行なう、予め決められたＣＣＥの各組み合わせを意味する。ＬＴＥ−Ａでは、Ｓｅａｒｃｈ  ｓｐａｃｅ内の各ＣＣＥは複数のＰＤＣＣＨ  ｃａｎｄｉｄａｔｅには構成されない。例えば、ＣＣＥ  ａｇｇｒｅｇａｔｉｏｎ  ｌｅｖｅ２であり、Ｓｅａｒｃｈ  ｓｐａｃｅを構成するＣＣＥの数が１２個（ＣＣＥ１、ＣＣＥ２、ＣＣＥ３、ＣＣＥ４、ＣＣＥ５、ＣＣＥ６、ＣＣＥ７、ＣＣＥ８、ＣＣＥ９、ＣＣＥ１０、ＣＣＥ１１、ＣＣＥ１２）の場合、６個のＰＤＣＣＨ  ｃａｎｄｉｄａｔｅ（ＰＤＣＣＨ  ｃａｎｄｉｄａｔｅ１、ＰＤＣＣＨ  ｃａｎｄｉｄａｔｅ２、ＰＤＣＣＨ  ｃａｎｄｉｄａｔｅ３、ＰＤＣＣＨ  ｃａｎｄｉｄａｔｅ４、ＰＤＣＣＨ  ｃａｎｄｉｄａｔｅ５、ＰＤＣＣＨ  ｃａｎｄｉｄａｔｅ６）が構成され、ＰＤＣＣＨ  ｃａｎｄｉｄａｔｅ１はＣＣＥ１とＣＣＥ２の組み合わせ、ＰＤＣＣＨ  ｃａｎｄｉｄａｔｅ２はＣＣＥ３とＣＣＥ４の組み合わせ、ＰＤＣＣＨ  ｃａｎｄｉｄａｔｅ３はＣＣＥ５とＣＣＥ６の組み合わせ、ＰＤＣＣＨ  ｃａｎｄｉｄａｔｅ４はＣＣＥ７とＣＣＥ８の組み合わせ、ＰＤＣＣＨ  ｃａｎｄｉｄａｔｅ５はＣＣＥ９とＣＣＥ１０の組み合わせ、ＰＤＣＣＨ  ｃａｎｄｉｄａｔｅ６はＣＣＥ１１とＣＣＥ１２の組み合わせにより構成される。非特許文献１に示されるように、オフセットとしてＳｅａｒｃｈ  ｓｐａｃｅを構成するＣＣＥの数が用いられる場合、各Ｓｅａｒｃｈ  ｓｐａｃｅ間のＣＣＥは番号が連続した関係となる。
【先行技術文献】
【非特許文献】
【００１２】
【非特許文献１】3GPP TSG RAN1 #61bis、Dresden、Germany、28th June - 2nd July、2010、R1-103925“Further Details on PDCCH design with CIF”
【非特許文献２】3GPP TSG RAN1 #61bis、Dresden、Germany、28th June - 2nd July、2010、R1-103630“PDCCH Search Space Design for CA”
【発明の概要】
【発明が解決しようとする課題】
【００１３】
ＰＤＣＣＨ  ＣＣのＣＣＥの数が、ＰＤＣＣＨ  ＣＣに設定される複数のＳｅａｒｃｈ  ｓｐａｃｅのＣＣＥの数の総和よりも小さい場合、異なるＰＤＳＣＨ  ＣＣに対応するＳｅａｒｃｈ  ｓｐａｃｅは、重複したＣＣＥを用いて構成されなければならない。重複したＣＣＥを用いて構成されたＳｅａｒｃｈ  ｓｐａｃｅは、そのＳｅａｒｃｈ  ｓｐａｃｅに対応するＰＤＳＣＨ  ＣＣに対して独立して用いられることができるＣＣＥの数が少なくなる。よって、基地局装置において、重複したＣＣＥを用いて構成されたＳｅａｒｃｈ  ｓｐａｃｅに対応するＰＤＳＣＨ  ＣＣのＰＤＳＣＨのリソースの割り当てに関する制御情報を含むＰＤＣＣＨのスケジューリングの柔軟性が減少する。
【００１４】
オフセットとしてＳｅａｒｃｈ  ｓｐａｃｅを構成するＣＣＥの数が用いられる場合、ＰＤＣＣＨ  ＣＣのＣＣＥの数、ＰＤＣＣＨ  ＣＣに対応付けられるＰＤＳＣＨ  ＣＣの数、１つのＳｅａｒｃｈ  ｓｐａｃｅを構成するＣＣＥの数次第では、各Ｓｅａｒｃｈ  ｓｐａｃｅで重複するＣＣＥの数に偏りが生じてしまう場合がある。他のＳｅａｒｃｈ  ｓｐａｃｅと比較して重複するＣＣＥの数が多い場合、そのＳｅａｒｃｈ  ｓｐａｃｅに対応するＰＤＳＣＨ  ＣＣのＰＤＳＣＨのリソースの割り当てに関する制御情報を含むＰＤＣＣＨのスケジューリングの柔軟性が減少し、ＰＤＳＣＨ  ＣＣ間でＰＤＳＣＨのリソースの割り当ての柔軟性に不均衡が生じ、基地局装置の総合的なスケジューリングの複雑さを上昇させてしまうという問題があった。上記のような不均衡を十分に考慮することができない基地局装置は、適切なスケジューリングを実行することができず、移動局装置と基地局装置間で適切な通信を行なうことができないという問題があった。
【００１５】
本発明は上記の点に鑑みてなされたものであり、その目的は、複数の移動局装置と基地局装置から構成される通信システムにおいて、下りリンクの制御チャネルを検索する領域を適切に設定し、移動局装置と基地局装置間で適切な通信を行なうことができる移動局装置、通信システム、通信方法および集積回路を提供することを目的とする。
【課題を解決するための手段】
【００１６】
（１）上記の目的を達成するために、本発明は、以下のような手段を講じた。すなわち、本発明の移動局装置は、予め定められた周波数帯域幅を有するコンポーネントキャリアを１個以上用いて信号の受信を行ない、第一のコンポーネントキャリアにおいて複数のコンポーネントキャリアに対する下りリンク制御チャネルを受信する移動局装置であって、前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する制御部と、前記制御部で設定された複数の前記検索領域において自装置宛ての下りリンク制御チャネルの復号を行なう受信部と、を有することを特徴とする。
【００１７】
このように、ＰＤＣＣＨ  ＣＣに複数のＰＤＳＣＨ  ＣＣに対応する複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定して、設定したオフセットを用いて設定された複数のＳｅａｒｃｈ  ｓｐａｃｅにおいて自装置宛てのＰＤＣＣＨの復号を行なうことにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【００１８】
（２）また、本発明の移動局装置において、前記制御部は、前記第一のコンポーネントキャリアにおいて対応する検索領域が配置されるコンポーネントキャリアの数と１つの検索領域を構成する制御チャネルエレメントの数を乗算した値を第一の値として用い、前記第一の値から１つの検索領域を構成する制御チャネルエレメントの数を減算した値を第二の値として用い、前記第二の値を前記第一のコンポーネントキャリア対応する検索領域が配置されるコンポーネントキャリアの数で除算した値を第三の値として用い、１つの検索領域を構成する制御チャネルエレメントの数から前記第三の値を減算した値に基づいてオフセットを設定することを特徴とする。
【００１９】
このように、ＰＤＣＣＨ  ＣＣと対応付けられるＰＤＳＣＨ  ＣＣの数と１つのＳｅａｒｃｈ  ｓｐａｃｅを構成するＣＣＥの数を乗算した値を第一の値として用い、第一の値から１つのＳｅａｒｃｈ  ｓｐａｃｅを構成するＣＣＥの数を減算した値を第二の値として用い、第二の値をＰＤＣＣＨ  ＣＣに対応付けられるＰＤＳＣＨ  ＣＣの数で除算した値を第三の値として用い、１つのＳｅａｒｃｈ  ｓｐａｃｅを構成するＣＣＥの数から第三の値を減算した値に基づいてオフセットを設定して、設定したオフセットを用いて設定された複数のＳｅａｒｃｈ  ｓｐａｃｅにおいて自装置宛てのＰＤＣＣＨの復号を行なうことにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【００２０】
（３）また、本発明の移動局装置は、予め定められた周波数帯域幅を有するコンポーネントキャリアを１個以上用いて信号の受信を行ない、第一のコンポーネントキャリアにおいて複数のコンポーネントキャリアに対する下りリンク制御チャネルを受信する移動局装置であって、前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、前記第一のコンポーネントキャリアに配置される全ての前記検索領域における検索領域を構成する制御チャネルエレメントの数の総和が前記第一のコンポーネントキャリアの制御チャネルエレメントの数より大きいか否かに応じて異なる値に設定する制御部と、前記制御部で設定された複数の前記検索領域において自装置宛ての下りリンク制御チャネルの復号を行なう受信部と、を有することを特徴とする。
【００２１】
このように、ＰＤＣＣＨ  ＣＣに複数のＰＤＳＣＨ  ＣＣに対応する複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きいか否かに応じて異なる値に設定して、設定したオフセットを用いて設定された複数のＳｅａｒｃｈ  ｓｐａｃｅにおいて自装置宛てのＰＤＣＣＨの復号を行なうことにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【００２２】
（４）また、本発明の移動局装置において、前記制御部は、前記第一のコンポーネントキャリアに配置される全ての前記検索領域における検索領域を構成する制御チャネルエレメントの数の総和が前記第一のコンポーネントキャリアの制御チャネルエレメントの数より大きい場合、前記第一のコンポーネントキャリアにおいて対応する検索領域が配置されるコンポーネントキャリアの数と１つの検索領域を構成する制御チャネルエレメントの数を乗算した値を第一の値として用い、前記第一の値から１つの検索領域を構成する制御チャネルエレメントの数を減算した値を第二の値として用い、前記第二の値を前記第一のコンポーネントキャリア対応する検索領域が配置されるコンポーネントキャリアの数で除算した値を第三の値として用い、１つの検索領域を構成する制御チャネルエレメントの数から前記第三の値を減算した値に基づいてオフセットを設定し、前記第一のコンポーネントキャリアに配置される全ての前記検索領域における検索領域を構成する制御チャネルエレメントの数の総和が前記第一のコンポーネントキャリアの制御チャネルエレメントの数以下の場合、１つの検索領域を構成する制御チャネルエレメントの数に基づいてオフセットを設定することを特徴とする。
【００２３】
このように、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きい場合、ＰＤＣＣＨ  ＣＣと対応付けられるＰＤＳＣＨ  ＣＣの数と１つのＳｅａｒｃｈ  ｓｐａｃｅを構成するＣＣＥの数を乗算した値を第一の値として用い、第一の値から１つのＳｅａｒｃｈ  ｓｐａｃｅを構成するＣＣＥの数を減算した値を第二の値として用い、第二の値をＰＤＣＣＨ  ＣＣに対応付けられるＰＤＳＣＨ  ＣＣの数で除算した値を第三の値として用い、１つのＳｅａｒｃｈ  ｓｐａｃｅを構成するＣＣＥの数から第三の値を減算した値に基づいてオフセットを設定して、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数以下の場合、１つのＳｅａｒｃｈ  ｓｐａｃｅを構成するＣＣＥの数に基づいてオフセットを設定することにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【００２４】
（５）また、本発明の通信システムは、複数の移動局装置および前記複数の移動局装置と通信を行なう基地局装置から構成され、予め定められた周波数帯域幅を有するコンポーネントキャリアを１個以上用いて信号の送受信を行ない、第一のコンポーネントキャリアにおいて複数のコンポーネントキャリアに対する下りリンク制御チャネルを送受信する通信システムであって、前記基地局装置は、前記移動局装置に１個以上の下りリンク制御チャネルを送信する送信部を備え、前記移動局装置は、前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する制御部と、前記制御部で設定された複数の前記検索領域において自装置宛ての下りリンク制御チャネルの復号を行なう受信部と、を有することを特徴とする。
【００２５】
このように、ＰＤＣＣＨ  ＣＣに複数のＰＤＳＣＨ  ＣＣに対応する複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定して、設定したオフセットを用いて設定された複数のＳｅａｒｃｈ  ｓｐａｃｅにおいて自装置宛てのＰＤＣＣＨの復号を行なうことにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【００２６】
（６）また、本発明の通信方法は、予め定められた周波数帯域幅を有するコンポーネントキャリアを１個以上用いて信号の受信を行ない、第一のコンポーネントキャリアにおいて複数のコンポーネントキャリアに対する下りリンク制御チャネルを受信する移動局装置に用いられる通信方法において、前記第一のコンポーネントキャリアにおいて、前記下りリンク制御チャネルの復号を行なう複数個の制御チャネルエレメントからなる領域である検索領域を複数のコンポーネントキャリアに対して構成し、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定するステップと、設定された複数の前記検索領域において自装置宛ての下りリンク制御チャネルの復号を行なうステップと、を少なくとも含むことを特徴とする。
【００２７】
このように、ＰＤＣＣＨ  ＣＣに複数のＰＤＳＣＨ  ＣＣに対応する複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定して、設定したオフセットを用いて設定された複数のＳｅａｒｃｈ  ｓｐａｃｅにおいて自装置宛てのＰＤＣＣＨの復号を行なうことにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【００２８】
（７）また、本発明の集積回路は、移動局装置に実装されることにより、前記移動局装置に複数の機能を発揮させる集積回路であって、予め定められた周波数帯域幅を有するコンポーネントキャリアを１個以上用いて信号の受信を行なう機能と、第一のコンポーネントキャリアにおいて複数のコンポーネントキャリアに対する下りリンク制御チャネルを受信する機能と、前記第一のコンポーネントキャリアにおいて、前記下りリンク制御チャネルの復号を行なう複数個の制御チャネルエレメントからなる領域である検索領域を複数のコンポーネントキャリアに対して構成する機能と、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する機能と、設定された複数の前記検索領域において自装置宛ての下りリンク制御チャネルの復号を行なう機能と、を含む一連の機能を、前記移動局装置に発揮させることを特徴とする。
【００２９】
このように、ＰＤＣＣＨ  ＣＣに複数のＰＤＳＣＨ  ＣＣに対応する複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定して、設定したオフセットを用いて設定された複数のＳｅａｒｃｈ  ｓｐａｃｅにおいて自装置宛てのＰＤＣＣＨの復号を行なうことにより、ＰＤＣＣＨを検索する領域であるＳｅａｒｃｈ  ｓｐａｃｅを適切に設定することができ、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置の総合的なスケジューリングの複雑さが上昇することを抑えることができ、基地局装置は適切なスケジューリングを実行することができる。
【発明の効果】
【００３０】
この発明によれば、移動局装置と基地局装置間で適切な通信を行なうことができる。基地局装置は下りリンク制御チャネルを移動局装置に対して適切にスケジューリングすることができる。
【図面の簡単な説明】
【００３１】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５のＣＣＥ  ａｇｇｒｅｇａｔｉｏｎ  ｌｅｖｅｌ１の各ＰＤＳＣＨ  ＣＣに対するＳｅａｒｃｈ  ｓｐａｃｅの設定例を示す図である。
【図８】本発明の実施形態に係る移動局装置５のＣＣＥ  ａｇｇｒｅｇａｔｉｏｎ  ｌｅｖｅｌ２の各ＰＤＳＣＨ  ＣＣに対するＳｅａｒｃｈ  ｓｐａｃｅの設定例を示す図である。
【図９】本発明の実施形態に係る移動局装置５のＣＣＥ  ａｇｇｒｅｇａｔｉｏｎ  ｌｅｖｅｌ４の各ＰＤＳＣＨ  ＣＣに対するＳｅａｒｃｈ  ｓｐａｃｅの設定例を示す図である。
【図１０】本発明の実施形態に係る移動局装置５の各ＰＤＣＣＨ  ＣＣのＳｅａｒｃｈ  ｓｐａｃｅの設定に関する処理の一例を示すフローチャートである。
【図１１】本発明の実施形態に係る移動局装置５の各ＰＤＣＣＨ  ＣＣのＳｅａｒｃｈ  ｓｐａｃｅの設定に関する処理の一例を示すフローチャートである。
【図１２】本発明の実施形態に係る通信システムの全体像についての概略を説明する図である。
【図１３】本発明の実施形態に係る基地局装置３から移動局装置５への下りリンクの無線フレームの概略構成を示す図である。
【図１４】本発明の実施形態に係る移動局装置５から基地局装置３への上りリンクの無線フレームの概略構成を示す図である。
【図１５】本発明の実施形態に係る通信システムのＰＤＣＣＨとＣＣＥの論理的な関係を説明する図である。
【図１６】本発明の実施形態に係る通信システムの下りリンク無線フレームにおけるリソースエレメントグループの配置例を示す図である。
【図１７】本発明の実施形態に係る移動局装置５におけるＰＤＳＣＨ  ＣＣとＰＤＣＣＨ  ＣＣの対応付けの例を示す図である。
【図１８】本発明の実施形態に係る移動局装置５におけるＰＤＳＣＨ  ＣＣとＰＤＣＣＨ  ＣＣの対応付けの例を示す図である。
【図１９】本発明の実施形態に係る移動局装置５における、Ｃｒｏｓｓ−ＣＣ  ｓｃｈｅｄｕｌｉｎｇが適用されない場合のＰＤＳＣＨ  ＣＣとＰＤＣＣＨ  ＣＣの対応付けの例を示す図である。
【発明を実施するための形態】
【００３２】
以下、図面を参照しながら本発明の実施形態について詳しく説明する。まず、図１２〜図１９を用いて、本実施形態に係る通信システムの全体像、および無線フレームの構成などについて説明する。次に、図１〜図６を用いて、本実施形態に係る通信システムの構成について説明する。次に、図７〜図１１を用いて、本実施形態に係る通信システムの動作処理について説明する。
【００３３】
＜通信システムの全体像＞
図１２は、本発明の実施形態に係る通信システムの全体像についての概略を説明する図である。この図が示す通信システム１は、基地局装置（eNodeB、NodeBとも呼称する。）３と、複数の移動局装置（UEとも呼称する）５Ａ、５Ｂ、５Ｃとが通信を行なう。また、この図は、基地局装置３から移動局装置５Ａ、５Ｂ、５Ｃへの通信方向である下りリンク（DL:Downlinkとも呼称する。）が、下りリンクパイロットチャネル、物理下りリンク制御チャネル（PDCCH:Physical Downlink Control CHannelとも呼称する。）、および物理下りリンク共用チャネル（PDSCH:Physical Downlink Shared CHannelとも呼称する。）を含んで構成されることを示す。また、この図は、移動局装置５Ａ、５Ｂ、５Ｃから基地局装置３への通信方向である上りリンク（UL: Uplinkとも呼称する）が、物理上りリンク共用チャネル（PUSCH:PhysicalUplink Shared CHannelとも呼称する。）、上りリンクパイロットチャネル、および物理上りリンク制御チャネル（PUCCH:Physical Uplink Control CHannelとも呼称する。）を含んで構成されることを示す。チャネルとは、信号の送信に用いられる媒体を意味する。ＰＤＳＣＨは、下りリンクのデータの送受信に用いられるチャネルである。ＰＤＣＣＨは、下りリンクの制御情報の送受信に用いられるチャネルである。ＰＵＳＣＨは、少なくとも上りリンクのデータの送受信に用いられるチャネルである。ＰＵＣＣＨは、上りリンクの制御情報の送受信に用いられるチャネルである。その他のチャネルの種類としては、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等が用いられる。また、基地局装置３が管轄するエリアのことをセルと呼ぶ。以下、本実施形態において、移動局装置５Ａ、５Ｂ、５Ｃを移動局装置５と呼び、説明を行なう。
【００３４】
＜キャリアアグリゲーション＞
本発明の実施形態に係る通信システムでは、予め定められた周波数帯域幅の周波数帯域を複数用いて通信を行なう（周波数帯域集約；Spectrum aggregation、キャリアアグリゲーション; Carrier aggregation、Frequency aggregation等とも呼称する。）。ここで、１個の周波数帯域をコンポーネントキャリア（Component Carrier: CC）と呼称する。具体的には、キャリアアグリゲーションを用いた通信では、下りリンクのCC（下りリンクコンポーネントキャリア; DL CCと呼称する。）毎に、下りリンクのチャネルが送受信され、上りリンクのCC（上りリンクコンポーネントキャリア; UL CCと呼称する。）毎に上りリンクのチャネルが送受信される。つまり、キャリアアグリゲーションを用いた本発明の実施形態に係る通信システムは、上りリンクと下りリンクにおいて、基地局装置３と複数の移動局装置５が複数のＣＣを用いて複数のチャネルで信号を同時に送受信する。キャリアアグリゲーションを用いた本発明の実施形態に係る通信システムにおいて、１つのセルは１つの下りリンクコンポーネントキャリア、または１組の下りリンクコンポーネントキャリアと上りリンクコンポーネントキャリアにより構成される。つまり、キャリアアグリゲーションを用いた本発明の実施形態に係る通信システムでは、複数のセルが存在する。
【００３５】
＜下りリンク無線フレームの構成＞
図１３は、本発明の実施形態に係る基地局装置３から移動局装置５への下りリンクの無線フレーム（下りリンク無線フレームと呼称する。）の概略構成を示す図である。この図において、横軸は時間領域、縦軸は周波数領域を表している。下りリンク無線フレームは、リソース割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクの物理リソースブロックペア（下りリンク物理リソースブロックペアと呼称する。）は下りリンクの時間領域で連続する２個の物理リソースブロック（下りリンク物理リソースブロックと呼称する。）から構成される。
【００３６】
また、この図において、１個の下りリンク物理リソースブロックは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３の下りリンクの通信帯域である。下りリンクのシステム帯域幅（下りリンクシステム帯域幅と呼称する。）は、下りリンクの複数の下りリンクコンポーネントキャリアの帯域幅（下りリンクコンポーネントキャリア帯域幅と呼称する。）から構成される。通信システム１において、下りリンクのコンポーネントキャリア（下りリンクコンポーネントキャリアと呼称する。）は予め定められた周波数帯域幅の帯域であり、下りリンクコンポーネントキャリア帯域幅は下りリンクコンポーネントキャリアの周波数帯域幅である。例えば、４０ＭＨｚの帯域幅の下りリンクシステム帯域は、２個の２０ＭＨｚの帯域幅の下りリンクコンポーネントキャリアから構成される。
【００３７】
なお、下りリンクコンポーネントキャリアでは下りリンクコンポーネントキャリア帯域幅に応じて複数の下りリンク物理リソースブロックが配置される。例えば、２０ＭＨｚの帯域幅の下りリンクコンポーネントキャリアは、１００個の下りリンク物理リソースブロックから構成される。また、例えば、下りリンクコンポーネントキャリア帯域幅は、ＬＴＥに対応した移動局装置５が通信に用いることができる周波数帯域幅であり、下りリンクシステム帯域幅はＬＴＥ−Ａに対応した移動局装置５が通信に用いることができる周波数帯域幅である。
【００３８】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）、１０個の下りリンクサブフレームから構成される下りリンク無線フレームがある。なお、１個の下りリンクサブキャリアと１個のＯＦＤＭシンボルから構成されるユニットをリソースエレメント（RE）（下りリンクリソースエレメント）と呼ぶ。各下りリンクサブフレームには少なくとも、情報データ（トランスポートブロック; Transport Blockとも呼称する。）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。
【００３９】
この図において図示は省略するが、下りリンクの参照信号（Reference signal: RS）（下りリンク参照信号と呼称する。Cell specific RS、DL RSとも呼称する。）の送信に用いられる下りリンクパイロットチャネルが複数の下りリンクリソースエレメントに分散して配置される。ここで、下りリンク参照信号は、ＰＤＳＣＨおよびＰＤＣＣＨの伝搬路変動の推定に用いられる、通信システム１において既知の信号である。なお、下りリンク参照信号を構成する下りリンクリソースエレメントの数は、基地局装置３において移動局装置５への通信に用いられる送信アンテナの数に依存する。
【００４０】
なお、１個のＰＤＳＣＨは同一の下りリンクコンポーネントキャリア内の１個以上の下りリンク物理リソースブロックから構成され、１個のＰＤＣＣＨは同一の下りリンクコンポーネントキャリア内の複数の下りリンクリソースエレメントから構成される。下りリンクシステム帯域内で複数のＰＤＳＣＨ、複数のＰＤＣＣＨが配置される。ＰＤＣＣＨの詳細な構成は後述する。基地局装置３は、ＬＴＥに対応した１つの移動局装置５に対して同一の下りリンクサブフレームで同一の下りリンクコンポーネントキャリア内でＰＤＳＣＨのリソースの割り当てに関する制御情報を含む１個のＰＤＣＣＨと１個のＰＤＳＣＨを配置することができ、ＬＴＥ−Ａに対応した１つの移動局装置５に対して同一の下りリンクサブフレームでＰＤＳＣＨのリソースの割り当てに関する制御情報を含む複数のＰＤＣＣＨと複数のＰＤＳＣＨを配置することができる。なお、基地局装置３は、ＬＴＥ−Ａに対応した１つの移動局装置５に対して同一の下りリンクサブフレームで、同一の下りリンクコンポーネントキャリア内で複数のＰＤＳＣＨのリソースの割り当てに関する制御情報を含むＰＤＣＣＨを配置することができるが、同一の下りリンクコンポーネントキャリア内で複数のＰＤＳＣＨを配置することはできず、各ＰＤＳＣＨを異なる下りリンクコンポーネントキャリアに配置することはできる。
【００４１】
ＰＤＣＣＨは、ＰＤＳＣＨに対する下りリンク物理リソースブロックの割り当てを示す情報、ＰＵＳＣＨに対する上りリンク物理リソースブロックの割り当てを示す情報、移動局識別子（Radio Network Temporary Identifier: RNTIと呼称する。）、変調方式、符号化率、再送パラメータ、マルチアンテナ関連情報などの制御情報から生成された信号が配置される。ＰＤＣＣＨに含まれる制御情報を下りリンク制御情報（Downlink Control Information: DCI）と呼称する。ＰＤＳＣＨに対する下りリンク物理リソースブロックの割り当てを示す情報を含むＤＣＩは下りリンクアサインメント（Downlink assignment: DL assignment、またDownlink grantとも呼称する。）と呼称し、ＰＵＳＣＨに対する上りリンク物理リソースブロックの割り当てを示す情報を含むＤＣＩは上りリンクグラント（Uplink grant: UL grantと呼称する。）（以降、物理上りリンク共用チャネルの無線リソース割り当ての情報とも呼称する。）と呼称する。なお、１個のＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００４２】
＜上りリンク無線フレームの構成＞
図１４は、本発明の実施形態に係る移動局装置５から基地局装置３への上りリンクの無線フレーム（上りリンク無線フレームと呼称する。）の概略構成を示す図である。この図において、横軸は時間領域、縦軸は周波数領域を表している。上りリンク無線フレームは、無線リソース割り当てなどの単位であり、上りリンクの予め決められた幅の周波数帯および時間帯からなる物理リソースブロックのペア（上りリンク物理リソースブロックペアと呼称する。）から構成される。１個の上りリンク物理リソースブロックペアは、上りリンクの時間領域で連続する２個の上りリンクの物理リソースブロック（上りリンク物理リソースブロックと呼称する。）から構成される。
【００４３】
また、この図において、１個の上りリンク物理リソースブロックは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。上りリンクのシステム帯域幅（上りリンクシステム帯域幅と呼称する。）は、上りリンクの複数の上りリンクコンポーネントキャリアの帯域幅（上りリンクコンポーネントキャリア帯域幅と呼称する。）から構成される。通信システム１において、上りリンクのコンポーネントキャリア（上りリンクコンポーネントキャリアと呼称する。）は予め定められた周波数帯域幅の帯域であり、上りリンクコンポーネントキャリア帯域幅は上りリンクコンポーネントキャリアの周波数帯域幅である。例えば、４０ＭＨｚの帯域幅の上りリンクのシステム帯域（上りリンクシステム帯域と呼称する。）は、２個の２０ＭＨｚの帯域幅の上りリンクコンポーネントキャリアから構成される。
【００４４】
なお、上りリンクコンポーネントキャリアでは上りリンクコンポーネントキャリア帯域幅に応じて複数の上りリンク物理リソースブロックが配置される。例えば、２０ＭＨｚの帯域幅の上りリンクコンポーネントキャリアは、１００個の上りリンク物理リソースブロックから構成される。また、例えば、上りリンクコンポーネントキャリア帯域幅は、ＬＴＥに対応した移動局装置５が通信に用いることができる周波数帯域幅であり、上りリンクシステム帯域幅はＬＴＥ−Ａに対応した移動局装置５が通信に用いることができる周波数帯域幅である。
【００４５】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）、１０個の上りリンクサブフレームから構成される上りリンク無線フレームがある。なお、１個の上りリンクサブキャリアと１個のＳＣ−ＦＤＭＡシンボルから構成されるユニットをリソースエレメント（上りリンクリソースエレメントと呼称する。）と呼ぶ。
【００４６】
各上りリンクサブフレームには、少なくとも情報データの送信に用いられるＰＵＳＣＨ、上りリンク制御情報（UCI: Uplink Control Information）の送信に用いられるＰＵＣＣＨが配置される。ＰＵＣＣＨは、ＰＤＳＣＨを用いて受信されたデータに対する肯定応答（ACK: Acknowledgement）または否定応答（NACK: Negative Acknowledgement）を示す制御情報（ACK/NACK）、上りリンクのリソースの割り当ての要求を示す制御情報（SR: Scheduling Request; スケジューリング要求）、下りリンクの受信品質（チャネル品質とも呼称する。）を示す制御情報（CQI: Channel Quality Indicator; チャネル品質指標）を送信するために用いられる。また、ＰＵＣＣＨは、下りリンクのチャネル状態を示す制御情報（CSI: Channel State Information; チャネル状態情報）を送信するために用いられてもよい。また、ＰＵＣＣＨは、ＡＣＫ／ＮＡＣＫからなるＵＣＩを送信する場合と、ＳＲからなるＵＣＩを送信する場合と、ＣＱＩからなるＵＣＩを送信する場合とで異なる種類の信号構成が用いられる。
【００４７】
なお、１個のＰＵＳＣＨは同一の上りリンクコンポーネントキャリア内の１個以上の上りリンク物理リソースブロックから構成され、１個のＰＵＣＣＨは同一の上りリンクコンポーネントキャリア内において周波数領域に対称関係にあり、異なる上りリンクスロットに位置する２個の上りリンク物理リソースブロックから構成される。例えば、図１４において、最も周波数が低い上りリンクコンポーネントキャリア内の上りリンクサブフレーム内において、一番目の上りリンクスロットの最も周波数が低い上りリンク物理リソースブロックと、二番目の上りリンクスロットの最も周波数が高い上りリンク物理リソースブロックとにより、ＰＵＣＣＨに用いられる上りリンク物理リソースブロックペアの１個が構成される。
【００４８】
上りリンクシステム帯域内で１個以上のＰＵＳＣＨ、１個以上のＰＵＣＣＨが配置される。ＬＴＥに対応した移動局装置５は、同一の上りリンクコンポーネントキャリア内にＰＵＣＣＨのリソースとＰＵＳＣＨのリソースを配置し、送信することができる。なお、基地局装置３は、ＬＴＥに対応した移動局装置５に対してＰＤＳＣＨに対する誤り結果である受信確認応答、またはスケジューリング要求、または下りリンクに対するチャネル品質指標毎に異なるＰＵＣＣＨのリソースを割り当てることができるが、ＬＴＥに対応した移動局装置５は同一の上りリンクサブフレームで１個のＰＵＣＣＨのリソースしか用いない。また、ＬＴＥに対応した移動局装置５は、同一上りリンクサブフレームでＰＵＣＣＨのリソースとＰＵＳＣＨのリソースが割り当てられた場合は、ＰＵＳＣＨのリソースのみを用いる。また、基地局装置３は、ＬＴＥ−Ａに対応した１つの移動局装置５に対して上りリンクコンポーネントキャリア毎に１個のＰＵＳＣＨのリソースを割り当てることができる。ＬＴＥ−Ａに対応した移動局装置５は、同一上りリンクサブフレームで複数の上りリンクコンポーネントキャリアでＰＵＳＣＨのリソースが割り当てられた場合、複数のＰＵＳＣＨのリソースを用いることができる。なお、基地局装置３は、ＬＴＥ−Ａに対応した１つの移動局装置５に対して同一の上りリンクサブフレームで、同一の上りリンクコンポーネントキャリア内で複数のＰＵＳＣＨのリソースを割り当てることはできず、各ＰＵＳＣＨのリソースを異なる上りリンクコンポーネントキャリアに割り当てることができる。また、基地局装置３は、ＬＴＥ−Ａに対応した１つの移動局装置５に対して１個の上りリンクコンポーネントキャリアに１個以上のＰＵＣＣＨのリソースを割り当てることができる。ＬＴＥ−Ａに対応した移動局装置５は、同一上りリンクサブフレームで複数のＰＵＣＣＨのリソースが割り当てられた場合は、何れか１個のＰＵＣＣＨのリソースを用いる。
【００４９】
上りリンクパイロットチャネルは、ＰＵＳＣＨと同じ上りリンク物理リソースブロック内に配置される場合と、ＰＵＣＣＨと同じ上りリンク物理リソースブロック内に配置される場合とで異なるＳＣ−ＦＤＭＡシンボルに配置される。上りリンクパイロットチャネルは、上りリンク参照信号（UL RS: Uplink Reference Signal）を送信するために用いられる。ここで、上りリンク参照信号とは、ＰＵＳＣＨおよびＰＵＣＣＨの伝搬路変動の推定に用いられる、通信システム１において既知の信号である。
【００５０】
上りリンクパイロットチャネルは、ＰＵＳＣＨと同じ上りリンク物理リソースブロック内に配置される場合、上りリンクスロット内の４番目のＳＣ−ＦＤＭＡシンボルに配置される。上りリンクパイロットチャネルは、受信確認応答からなるＵＣＩを含むＰＵＣＣＨと同じ上りリンク物理リソースブロック内に配置される場合、上りリンクスロット内の３番目と４番目と５番目のＳＣ−ＦＤＭＡシンボルに配置される。上りリンクパイロットチャネルは、スケジューリング要求からなるＵＣＩを含むＰＵＣＣＨと同じ上りリンク物理リソースブロック内に配置される場合、上りリンクスロット内の３番目と４番目と５番目のＳＣ−ＦＤＭＡシンボルに配置される。上りリンクパイロットチャネルは、チャネル品質指標からなるＵＣＩを含むＰＵＣＣＨと同じ上りリンク物理リソースブロック内に配置される場合、上りリンクスロット内の２番目と６番目のＳＣ−ＦＤＭＡシンボルに配置される。
【００５１】
この図では、ＰＵＣＣＨが各上りリンクコンポーネントキャリアの最も端の上りリンク物理リソースブロックに配置された場合を示しているが、上りリンクコンポーネントキャリアの端から２番目、３番目などの上りリンク物理リソースブロックがＰＵＣＣＨに用いられてもよい。
【００５２】
なお、ＰＵＣＣＨにおいて周波数領域での符号多重、時間領域での符号多重が用いられる。複数のＰＵＣＣＨが同一の上りリンク物理リソースブロックに配置され、各ＰＵＣＣＨは異なる符号が割り当てられ、割り当てられた符号により周波数領域、または時間領域において符号多重が実現される。ＡＣＫ／ＮＡＣＫからなるＵＣＩを送信するために用いられるＰＵＣＣＨにおいては、周波数領域及び時間領域での符号多重が用いられる。ＳＲからなるＵＣＩを送信するために用いられるＰＵＣＣＨにおいては、周波数領域及び時間領域での符号多重が用いられる。ＣＱＩからなるＵＣＩを送信するために用いられるＰＵＣＣＨにおいては、周波数領域での符号多重が用いられる。なお、説明の簡略化のため、ＰＵＣＣＨの符号多重に係る内容の説明は適宜省略する。
【００５３】
なお、本発明の実施形態に係る通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンクコンポーネントキャリア単位でＤＦＴ−Ｓｐｒｅａｄ  ＯＦＤＭ方式を用いて信号を送受信する方式であり、複数の上りリンクコンポーネントキャリアを用いた通信システム１の上りリンクサブフレームにおいて複数のＤＦＴ−Ｓｐｒｅａｄ  ＯＦＤＭ送受信に関する処理部を用いて通信を行なう方式である。
【００５４】
ＰＤＳＣＨのリソースは、時間領域において、そのＰＤＳＣＨのリソースの割り当てに用いられた下りリンクアサインメントを含むＰＤＣＣＨと同一の下りリンクサブフレームに配置され、周波数領域において、そのＰＤＳＣＨのリソースの割り当てに用いられた下りリンクアサインメントを含むＰＤＣＣＨと同じ下りリンクコンポーネントキャリア、または異なる下りリンクコンポーネントキャリアに配置される。
【００５５】
ＤＣＩには、下りリンクアサインメントがいずれの下りリンクコンポーネントキャリアで送信されるＰＤＳＣＨに対応するか、または上りリンクグラントがいずれの上りリンクコンポーネントキャリアで送信されるＰＵＳＣＨに対応するかを示す情報（以下、「キャリアインディケータ（carrier indicator）」と呼称する。）が含まれる。下りリンクアサインメントにキャリアインディケータが含まれない場合、下りリンクアサインメントは、下りリンクアサインメントが送信された下りリンクコンポーネントキャリアと同じ下りリンクコンポーネントキャリアのＰＤＳＣＨに対応する。上りリンクグラントにキャリアインディケータが含まれない場合、上りリンクグラントは、上りリンクグラントが送信された下りリンクコンポーネントキャリアと予め対応付けられた上りリンクコンポーネントキャリアのＰＵＳＣＨに対応する。なお、キャリアインディケータがＤＣＩに含まれない場合の、上りリンクグラントのリソース割り当ての解釈に用いられる下りリンクコンポーネントキャリアと上りリンクコンポーネントキャリアとの対応付けを示す情報は、情報データの通信が行なわれる前に、基地局装置３から移動局装置５にシステム情報を用いて通知される。
【００５６】
＜ＰＤＣＣＨの構成＞
ＰＤＣＣＨの構成の詳細について説明する。ＰＤＣＣＨは、複数の制御チャネルエレメント（CCE: Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局装置３の送信アンテナの数に応じた下りリンクパイロットチャネルの下りリンク参照信号の数に依存する。ＣＣＥは、後述するように、複数の下りリンクリソースエレメントにより構成される。
【００５７】
図１５は、本発明の実施形態に係る通信システムのＰＤＣＣＨとＣＣＥの論理的な関係を説明する図である。基地局装置３と移動局装置５間で用いられるＣＣＥには、ＣＣＥを識別するための番号が付与されている。ＣＣＥの番号付けは、予め決められた規則に基づいて行なわれる。ここで、ＣＣＥ  ｔは、ＣＣＥ番号ｔのＣＣＥを示す。ＰＤＣＣＨは、複数のＣＣＥからなる集合（CCE Aggregation）により構成される。この集合を構成するＣＣＥの数を、以下、「ＣＣＥ集合レベル」（CCE aggregation level）と称す。ＰＤＣＣＨを構成するＣＣＥ  ａｇｇｒｅｇａｔｉｏｎ  ｌｅｖｅｌは、ＰＤＣＣＨに設定される符号化率、ＰＤＣＣＨに含められるＤＣＩのビット数に応じて基地局装置３において設定される。なお、移動局装置５に対して用いられる可能性のあるＣＣＥ  ａｇｇｒｅｇａｔｉｏｎ  ｌｅｖｅｌの組み合わせは予め決められている。また、ｎ個のＣＣＥからなる集合を、以下、「ＣＣＥ  ａｇｇｒｅｇａｔｉｏｎ  ｌｅｖｅｌ  ｎ」という。例えば、基地局装置３は、１個のＣＣＥによりＰＤＣＣＨを構成したり（ＣＣＥ  ａｇｇｒｅｇａｔｉｏｎ  ｌｅｖｅｌ  １）、２個のＣＣＥによりＰＤＣＣＨを構成したり（ＣＣＥ  ａｇｇｒｅｇａｔｉｏｎ  ｌｅｖｅｌ  ２）、４個のＣＣＥによりＰＤＣＣＨを構成したり（ＣＣＥ  ａｇｇｒｅｇａｔｉｏｎ  ｌｅｖｅｌ  ４）、８個のＣＣＥによりＰＤＣＣＨを構成したりする（ＣＣＥ  ａｇｇｒｅｇａｔｉｏｎ  ｌｅｖｅｌ  ８）。例えば、基地局装置３はチャネル品質の良い移動局装置５に対してはＰＤＣＣＨを構成するＣＣＥの数が少ないＣＣＥ  ａｇｇｒｅｇａｔｉｏｎ  ｌｅｖｅｌを用い、チャネル品質の悪い移動局装置５に対してはＰＤＣＣＨを構成するＣＣＥの数が多いＣＣＥ  ａｇｇｒｅｇａｔｉｏｎ  ｌｅｖｅｌを用いる。また、例えば、基地局装置３はビット数の少ないＤＣＩを送信する場合、ＰＤＣＣＨを構成するＣＣＥの数が少ないＣＣＥ  ａｇｇｒｅｇａｔｉｏｎ  ｌｅｖｅｌを用い、ビット数の多いＤＣＩを送信する場合、ＰＤＣＣＨを構成するＣＣＥの数が多いＣＣＥ  ａｇｇｒｅｇａｔｉｏｎ  ｌｅｖｅｌを用いる。
【００５８】
ＣＣＥを構成する複数の下りリンクリソースエレメントは、複数のリソースエレメントグループ（REG、mini-CCEとも称す）により構成される。リソースエレメントグループは複数の下りリンクリソースエレメントから構成される。例えば、１個のリソースエレメントグループは４個の下りリンクリソースエレメントから構成される。図１６は、本発明の実施形態に係る通信システムの下りリンク無線フレームにおけるリソースエレメントグループの配置例を示す図である。ここでは、ＰＤＣＣＨが１番目から３番目までのＯＦＤＭシンボルにより構成され、２本の送信アンテナ（送信アンテナ１、送信アンテナ２）の下りリンクパイロットチャネルに対応する下りリンク参照信号が配置される場合について示す。この図において、縦軸は周波数領域、横軸は時間領域を表わしている。
【００５９】
図１６の配置例では、１個のリソースエレメントグループは周波数領域の隣接する４個の下りリンクリソースエレメントにより構成される。図１６において、ＰＤＣＣＨの同一の符号が付された下りリンクリソースエレメントは、同一のリソースエレメントグループに属することを示す。なお、下りリンクパイロットチャネルが配置されたリソースエレメントＲ１（送信アンテナ１の下りリンクパイロットチャネルの信号）、Ｒ２（送信アンテナ２の下りリンクパイロットチャネルの信号）は飛ばされて、リソースエレメントグループが構成される。図１６では、周波数が最も低く、１番目のＯＦＤＭシンボルのリソースエレメントグループから番号付け（符号「１」）が行なわれ、次に周波数が最も低く、２番目のＯＦＤＭシンボルのリソースエレメントグループに番号付け（符号「２」）が行なわれ、次に周波数が最も低く、３番目のＯＦＤＭシンボルのリソースエレメントグループに番号付け（符号「３」）が行なわれることを示す。また、図１６では、次に下りリンクパイロットチャネルが配置されない２番目のＯＦＤＭシンボルの番号付け（符号「２」）が行なわれたリソースエレメントグループの周波数の隣接するリソースエレメントグループに番号付け（符号「４」）が行なわれ、次に下りリンクパイロットチャネルが配置されない３番目のＯＦＤＭシンボルの番号付け（符号「３」）が行なわれたリソースエレメントグループの周波数の隣接するリソースエレメントグループに番号付け（符号「５」）が行なわれることを示す。さらに、図１６では、次に１番目のＯＦＤＭシンボルの番号付け（符号「１」）が行なわれたリソースエレメントグループの周波数の隣接するリソースエレメントグループに番号付け（符号「６」）が行なわれ、次に２番目のＯＦＤＭシンボルの番号付け（符号「４」）が行なわれたリソースエレメントグループの周波数の隣接するリソースエレメントグループに番号付け（符号「７」）が行なわれ、次に３番目のＯＦＤＭシンボルの番号付け（符号「５」）が行なわれたリソースエレメントグループの周波数の隣接するリソースエレメントグループに番号付け（符号「８」）が行なわれることを示す。以降のリソースエレメントグループに対しても同様の番号付けが行なわれる。
【００６０】
ＣＣＥは、図１６に示すように構成された複数のリソースエレメントグループにより構成される。例えば、１個のＣＣＥは、周波数領域及び時間領域に分散した９個の異なるリソースエレメントグループにより構成される。具体的には、下りリンクコンポーネントキャリア全体に対して、この図のように番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００６１】
＜Ｃｒｏｓｓ−ＣＣ  ｓｃｈｅｄｕｌｉｎｇ＞
ＰＤＣＣＨと、そのＰＤＣＣＨに対応する下りリンクアサインメントが含まれるＰＤＳＣＨが異なる下りリンクコンポーネントキャリアに配置されることができる（Cross CC schedulingと呼称する。）。ＰＤＳＣＨが配置される下りリンクコンポーネントキャリアを物理下りリンク共用チャネルコンポーネントキャリア（PDSCH CC）と呼称する。ＰＤＣＣＨが配置される下りリンクコンポーネントキャリアを物理下りリンク制御チャネルコンポーネントキャリア（PDCCH CC）と呼称する。なお、キャリアアグリゲーションで用いられる全ての下りリンクコンポーネントキャリアにＰＤＳＣＨが配置される可能性がある場合、全ての下りリンクコンポーネントキャリアはＰＤＳＣＨ  ＣＣとなる。基地局装置３は、キャリアアグリゲーションに用いる複数の下りリンクコンポーネントキャリアの中で何れの下りリンクコンポーネントキャリアをＰＤＣＣＨ  ＣＣとして用いるかを決定する。次に、基地局装置３は、各ＰＤＣＣＨ  ＣＣを何れのＰＤＳＣＨ  ＣＣと対応させるかを決定する。ここで、ＰＤＣＣＨ  ＣＣとＰＤＳＣＨ  ＣＣの対応付けとは、ＰＤＳＣＨ  ＣＣに配置されるＰＤＳＣＨのリソースの割り当てに関する制御情報を含むＰＤＣＣＨがＰＤＳＣＨ  ＣＣと対応付けられたＰＤＣＣＨ  ＣＣに配置されることを意味する。より詳細には、ＰＤＣＣＨ  ＣＣとＰＤＳＣＨ  ＣＣの対応付けとは、ＰＤＳＣＨ  ＣＣに配置されるＰＤＳＣＨに対応する下りリンクアサインメントであって、キャリアインディケータも構成される下りリンクアサインメントを含むＰＤＣＣＨが、ＰＤＳＣＨ  ＣＣと対応付けられたＰＤＣＣＨ  ＣＣに配置されることを意味する。ここで説明される対応付けは、上記で説明したように、キャリアインディケータを含まないＰＤＣＣＨに対しての下りリンクコンポーネントキャリアと上りリンクコンポーネントキャリアの対応付けとは異なる。基地局装置３は、各ＰＤＳＣＨ  ＣＣに対してＰＤＣＣＨ  ＣＣとして対応付けられた下りリンクコンポーネントキャリアを示す情報を移動局装置５に通知する。なお、この情報は無線リンク制御（RRC）シグナリングを用いて通知される。移動局装置５は、基地局装置３よりＲＲＣシグナリングを用いて通知された情報に基づき、各ＰＤＳＣＨ  ＣＣのＰＤＳＣＨのキャリアインディケータ付きの下りリンクアサインメントを含むＰＤＣＣＨが配置される可能性のある下りリンクコンポーネントキャリアを認識する。なお、ＲＲＣシグナリングはＰＤＳＣＨで通知される。
【００６２】
図１７は、本発明の実施形態に係る移動局装置５におけるＰＤＳＣＨ  ＣＣとＰＤＣＣＨ  ＣＣの対応付けの例を示す図である。図１７（ａ）は、３個の下りリンクコンポーネントキャリア（ＤＬ  ＣＣ１、ＤＬ  ＣＣ２、ＤＬ  ＣＣ３）が移動局装置５に対して構成されることを示す。図１７（ｂ）は、３個の下りリンクコンポーネントキャリアがＰＤＳＣＨ  ＣＣとして設定されることを示し、ＤＬ  ＣＣ１がＰＤＳＣＨ  ＣＣ１、ＤＬ  ＣＣ２がＰＤＳＣＨ  ＣＣ２、ＤＬ  ＣＣ３がＰＤＳＣＨ  ＣＣ３に設定される。図１７（ｃ）は、１個の下りリンクコンポーネントキャリアがＰＤＣＣＨ  ＣＣとして設定されることを示し、ＤＬ  ＣＣ１がＰＤＣＣＨ  ＣＣ１に設定される。図１７（ｄ）は、ＰＤＳＣＨ  ＣＣとＰＤＣＣＨ  ＣＣの対応付けを示し、ＰＤＳＣＨ  ＣＣ１がＰＤＣＣＨ  ＣＣ１と対応付けられ、ＰＤＳＣＨ  ＣＣ２がＰＤＣＣＨ  ＣＣ１と対応付けられ、ＰＤＳＣＨ  ＣＣ３がＰＤＣＣＨ  ＣＣ１と対応付けられる。図１７に示すように、１個のＤＬ  ＣＣがＰＤＣＣＨ  ＣＣとして設定され、１個のＰＤＣＣＨ  ＣＣに全てのＰＤＳＣＨ  ＣＣに対応するＰＤＣＣＨが配置されるように設定されてもよい。
【００６３】
図１８は、本発明の実施形態に係る移動局装置５におけるＰＤＳＣＨ  ＣＣとＰＤＣＣＨ  ＣＣの対応付けの例を示す図である。図１８（ａ）は、３個の下りリンクコンポーネントキャリア（ＤＬ  ＣＣ１、ＤＬ  ＣＣ２、ＤＬ  ＣＣ３）が移動局装置５に対して構成されることを示す。図１８（ｂ）は、３個の下りリンクコンポーネントキャリアがＰＤＳＣＨ  ＣＣとして設定されることを示し、ＤＬ  ＣＣ１がＰＤＳＣＨ  ＣＣ１、ＤＬ  ＣＣ２がＰＤＳＣＨ  ＣＣ２、ＤＬ  ＣＣ３がＰＤＳＣＨ  ＣＣ３に設定される。図１８（ｃ）は、２個の下りリンクコンポーネントキャリアがＰＤＣＣＨ  ＣＣとして設定されることを示し、ＤＬ  ＣＣ１がＰＤＣＣＨ  ＣＣ１、ＤＬ  ＣＣ３がＰＤＣＣＨ  ＣＣ２に設定される。図１８（ｄ）は、ＰＤＳＣＨ  ＣＣとＰＤＣＣＨ  ＣＣの対応付けを示し、ＰＤＳＣＨ  ＣＣ１がＰＤＣＣＨ  ＣＣ１と対応付けられ、ＰＤＳＣＨ  ＣＣ２がＰＤＣＣＨ  ＣＣ１と対応付けられ、ＰＤＳＣＨ  ＣＣ３がＰＤＣＣＨ  ＣＣ２と対応付けられる。図１８に示すように、複数のＤＬ  ＣＣがＰＤＣＣＨ  ＣＣとして設定され、各ＰＤＣＣＨ  ＣＣに異なるＰＤＳＣＨ  ＣＣに対応するＰＤＣＣＨが配置されるように設定されてもよい。
【００６４】
図１９は、本発明の実施形態に係る移動局装置５における、Ｃｒｏｓｓ−ＣＣ  ｓｃｈｅｄｕｌｉｎｇが適用されない場合のＰＤＳＣＨ  ＣＣとＰＤＣＣＨ  ＣＣの対応付けの例を示す図である。図１９（ａ）は、３個の下りリンクコンポーネントキャリア（ＤＬ  ＣＣ１、ＤＬ  ＣＣ２、ＤＬ  ＣＣ３）が移動局装置５に対して構成されることを示す。図１９（ｂ）は、３個の下りリンクコンポーネントキャリアがＰＤＳＣＨ  ＣＣとして設定されることを示し、ＤＬ  ＣＣ１がＰＤＳＣＨ  ＣＣ１、ＤＬ  ＣＣ２がＰＤＳＣＨ  ＣＣ２、ＤＬ  ＣＣ３がＰＤＳＣＨ  ＣＣ３に設定される。図１９（ｃ）は、３個の下りリンクコンポーネントキャリアがＰＤＣＣＨ  ＣＣとして設定されることを示し、ＤＬ  ＣＣ１がＰＤＣＣＨ  ＣＣ１、ＤＬ  ＣＣ２がＰＤＣＣＨ  ＣＣ２、ＤＬ  ＣＣ３がＰＤＣＣＨ  ＣＣ３に設定される。図１９（ｄ）は、ＰＤＳＣＨ  ＣＣとＰＤＣＣＨ  ＣＣの対応付けを示し、ＰＤＳＣＨ  ＣＣ１がＰＤＣＣＨ  ＣＣ１と対応付けられ、ＰＤＳＣＨ  ＣＣ２がＰＤＣＣＨ  ＣＣ２と対応付けられ、ＰＤＳＣＨ  ＣＣ３がＰＤＣＣＨ  ＣＣ３と対応付けられる。図１９に示すように、Ｃｒｏｓｓ−ＣＣ  ｓｃｈｅｄｕｌｉｎｇが適用されない場合、対応付けられるＰＤＳＣＨ  ＣＣとＰＤＣＣＨ  ＣＣは同じＤＬ  ＣＣからなる。また、Ｃｒｏｓｓ−ＣＣ  ｓｃｈｅｄｕｌｉｎｇが適用されない場合、ＰＤＳＣＨ  ＣＣとＰＤＣＣＨ  ＣＣの対応付けを示す情報は基地局装置３から移動局装置５に対して通知されない。Ｃｒｏｓｓ−ＣＣ  ｓｃｈｅｄｕｌｉｎｇが適用されない場合、下りリンクアサインメントにキャリアインディケータは含まれない。
【００６５】
なお、図１７から図１９において、通信に用いられる下りリンクコンポーネントキャリアの数が３個の場合について説明したが、下りリンクコンポーネントキャリアの数が２個、４個以上の場合でも、同様の設定が行なわれることができる。例えば、１個のＰＤＣＣＨ  ＣＣに５個のＰＤＳＣＨ  ＣＣが対応付けられるような設定が行なわれてもよい。
【００６６】
＜Ｓｅａｒｃｈ  ｓｐａｃｅ＞
本発明の実施形態に係る通信システム１では、移動局装置５がＰＤＣＣＨを検索する領域（Search space、UE-specific search spaceと呼称する。）（検索領域）がＰＤＣＣＨ  ＣＣに対して設定される。Ｓｅａｒｃｈ  ｓｐａｃｅは、複数のＣＣＥから構成される。移動局装置５は、少なくとも１つのＳｅａｒｃｈ  ｓｐａｃｅの設定に関して、自装置に割り当てられた識別子（無線ネットワーク一時識別子; Radio Network Temporary Identifier: RNTI）を入力パラメータの１つに用いたハッシュ関数により、Ｓｅａｒｈ  ｓｐａｃｅを構成するＣＣＥの中で番号の最も小さいＣＣＥを決定する。ハッシュ関数により決定されたＣＣＥから番号の連続する複数のＣＣＥからＳｅａｒｃｈ  ｓｐａｃｅは構成され、番号の連続する複数のＣＣＥの数は予め決められている。ＲＮＴＩには、セル内でのみ有効なＣ−ＲＮＴＩ（セル無線ネットワーク一時識別子; Cell-Radio Network Temporary Identifier）、ランダムアクセス手順中に用いられるＴｅｍｐｏｒａｒｙ  Ｃ−ＲＮＴＩ（一時セル無線ネットワーク一時識別子; Temporary Cell-Radio Network Temporary Identifier）などがある。なお、Ｃ−ＲＮＴＩは、キャリアアグリゲーション中に構成される複数のセルにおいては共通のＣ−ＲＮＴＩが移動局装置５に対して割り当てられる。
【００６７】
各ＣＣＥ  ａｇｇｒｅｇａｔｉｏｎ  ｌｅｖｅｌのＳｅａｒｃｈ  ｓｐａｃｅは、複数のＰＤＣＣＨの候補（PDCCH candidate）の集合体により構成される。ＰＤＣＣＨ  ｃａｎｄｉｄａｔｅは、Ｓｅａｒｃｈ  ｓｐａｃｅ内で移動局装置５が自装置宛てのＰＤＣＣＨを検出するための処理を行なう予め決められたＣＣＥの各組み合わせを意味する。例えば、ＣＣＥ  ａｇｇｒｅｇａｔｉｏｎ  ｌｅｖｅｌ１のＳｅａｒｃｈ  ｓｐａｃｅは６個のＰＤＣＣＨ  ｃａｎｄｉｄａｔｅにより構成され、ＣＣＥ  ａｇｇｒｅｇａｔｉｏｎ  ｌｅｖｅｌ２のＳｅａｒｃｈ  ｓｐａｃｅは６個のＰＤＣＣＨ  ｃａｎｄｉｄａｔｅにより構成され、ＣＣＥ  ａｇｇｒｅｇａｔｉｏｎ  ｌｅｖｅｌ４のＳｅａｒｃｈ  ｓｐａｃｅは２個のＰＤＣＣＨ  ｃａｎｄｉｄａｔｅにより構成され、ＣＣＥ  ａｇｇｒｅｇａｔｉｏｎ  ｌｅｖｅｌ８のＳｅａｒｃｈ  ｓｐａｃｅは２個のＰＤＣＣＨ  ｃａｎｄｉｄａｔｅにより構成される。なお、同じＣＣＥ  ａｇｇｒｅｇａｔｉｏｎ  ｌｅｖｅｌのＳｅａｒｃｈ  ｓｐａｃｅに構成される各ＰＤＣＣＨ  ｃａｎｄｉｄａｔｅは、異なるＣＣＥの組み合わせにより構成される。
【００６８】
基地局装置３は、移動局装置５において設定されるＳｅａｒｃｈ  ｓｐａｃｅ内の１個以上のＣＣＥを用いてＰＤＣＣＨを送信する。移動局装置５は、Ｓｅａｒｃｈ  ｓｐａｃｅ内の１個以上のＣＣＥを用いて受信信号の復号を行ない、自装置宛てのＰＤＣＣＨを検出するための処理を行なう（Blind decodingと呼称する）。移動局装置５は、ＣＣＥ  ａｇｇｒｅｇａｔｉｏｎ  ｌｅｖｅｌ毎に異なるＳｅａｒｃｈ  ｓｐａｃｅを設定する。移動局装置５は、ＣＣＥ  ａｇｇｒｅｇａｔｉｏｎ  ｌｅｖｅｌ毎に異なるＳｅａｒｃｈ  ｓｐａｃｅ内の予め決められた組み合わせのＣＣＥを用いてＢｌｉｎｄ  ｄｅｃｏｄｉｎｇを行なう。言い換えると、移動局装置５は、ＣＣＥ  ａｇｇｒｅｇａｔｉｏｎ  ｌｅｖｅｌ毎に異なるＳｅａｒｃｈ  ｓｐａｃｅ内の各ＰＤＣＣＨ  ｃａｎｄｉｄａｔｅに対してＢｌｉｎｄ  ｄｅｃｏｄｉｎｇを行なう。
【００６９】
１つのＰＤＣＣＨ  ＣＣに複数のＰＤＳＣＨ  ＣＣが対応付けられている場合、各ＰＤＳＣＨ  ＣＣに対して独立なＳｅａｒｃｈ  ｓｐａｃｅが設定される。言い換えると、１つのＰＤＣＣＨ  ＣＣに複数のＰＤＳＣＨ  ＣＣが対応付けられている場合、そのＰＤＣＣＨ  ＣＣに複数のＳｅａｒｃｈ  ｓｐａｃｅが設定される。そのような場合に、各ＰＤＳＣＨ  ＣＣに対するＳｅａｒｃｈ  ｓｐａｃｅは、基準となるＰＤＳＣＨ  ＣＣに対するＳｅａｒｃｈ  ｓｐａｃｅに対してオフセットを用いて設定される。基準となるＰＤＳＣＨに対するＳｅａｒｃｈ  ｓｐａｃｅは、自装置に割り当てられた識別子を入力パラメータの１つに用いたハッシュ関数によりＳｅａｒｈ  ｓｐａｃｅを構成するＣＣＥの中で番号の最も小さいＣＣＥが決定され、ハッシュ関数により決定されたＣＣＥから番号の連続する複数のＣＣＥから構成される。本発明の実施形態に係る通信システム１では、オフセットは、各Ｓｅａｒｃｈ  ｓｐａｃｅの番号の最も小さいＣＣＥ間の番号の差として定義される。基準となるＰＤＳＣＨ  ＣＣに対するＳｅａｃｈ  ｓｐａｃｅの番号の最も小さいＣＣＥから、定義されたオフセットの整数倍間隔が離れたＣＣＥをＳｅａｒｃｈ  ｓｐａｃｅ内で番号の最も小さいＣＣＥとして構成するＳｅａｒｃｈ  ｓｐａｃｅが各ＰＤＳＣＨ  ＣＣに対するＳｅａｒｃｈ  ｓｐａｃｅとして設定される。オフセットの設定方法の説明は後述する。
【００７０】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部１０１、無線リソース制御部１０３、制御部１０５、および、送信処理部１０７を含んで構成される。
【００７１】
受信処理部１０１は、制御部１０５の指示に従い、受信アンテナ１０９により移動局装置５から受信した、ＰＵＣＣＨ、ＰＵＳＣＨの受信信号を上りリンク参照信号を用いて復調し、復号して、制御情報、情報データを抽出する。受信処理部１０１は、自装置が移動局装置５にＰＵＣＣＨのリソースを割り当てた上りリンクサブフレーム、上りリンク物理リソースブロックに対してＵＣＩを抽出する処理を行なう。受信処理部１０１は、何れの上りリンクサブフレーム、何れの上りリンク物理リソースブロックに対してどのような処理を行なうかを制御部１０５から指示される。受信処理部１０１は、抽出したＵＣＩを制御部１０５に出力し、情報データを上位層に出力する。受信処理部１０１の詳細については、後述する。
【００７２】
無線リソース制御部１０３は、移動局装置５各々のＰＤＣＣＨに対するＣＣＥの割り当て、ＰＵＣＣＨに対する上りリンクリンク物理リソースブロックの割り当て、ＰＤＳＣＨに対する下りリンク物理リソースブロックの割り当て、ＰＵＳＣＨに対する上りリンク物理リソースブロックの割り当て、各種チャネルの変調方式・符号化率・送信電力制御値などを設定する。また、無線リソース制御部１０３は、受信処理部１０１においてＰＵＣＣＨを用いて取得され、制御部１０５を介して入力されたＵＣＩに基づいて物理下りリンク共用チャネルの無線リソースの割り当てなどを設定する。例えば、無線リソース制御部１０３は、ＵＣＩとして受信確認応答を入力された場合、受信確認応答でＮＡＣＫが示されたＰＤＳＣＨのリソースの割り当てを移動局装置５に対して行なう。
【００７３】
無線リソース制御部１０３は、キャリアアグリゲーションを用いて通信を行なう場合、移動局装置５に対して複数の下りリンクコンポーネントキャリア、複数の上りリンクコンポーネントキャリアを構成する。また、無線リソース制御部１０３は、移動局装置５に対してＰＤＣＣＨ  ＣＣを設定する。また、無線リソース制御部１０３は、移動局装置５に対してＰＤＣＣＨ  ＣＣと対応付けるＰＤＳＣＨ  ＣＣを設定する。無線リソース制御部１０３は、送信処理部１０７を介して移動局装置５に通知するように各ＰＤＳＣＨ  ＣＣに対してＰＤＣＣＨ  ＣＣとして対応付けられた下りリンクコンポーネントキャリアを示す情報を制御部１０５に出力する。なお、無線リソース制御部１０３は、移動局装置５に対して設定したＰＤＣＣＨ  ＣＣとＰＤＳＣＨ  ＣＣとの対応付けから移動局装置５において設定されるＳｅａｒｃｈ  ｓｐａｃｅを認識し、その移動局装置５に対してＰＤＣＣＨを送信する場合、Ｓｅａｒｃｈ  ｓｐａｃｅ内の１個以上のＣＣＥをＰＤＣＣＨの送信のために割り当てる。
【００７４】
無線リソース制御部１０３は、各種制御信号を制御部１０５に出力する。例えば、制御信号は、ＰＤＣＣＨに用いるＣＣＥを示す制御信号や、ＰＵＣＣＨのリソースの割り当てを示す制御信号である。
【００７５】
制御部１０５は、無線リソース制御部１０３から入力された制御信号に基づき、ＰＤＳＣＨに対する下りリンク物理リソースブロックの割り当て、ＰＤＣＣＨに対するＣＣＥの割り当て、ＰＤＳＣＨに対する変調方式の設定、ＰＤＳＣＨおよびＰＤＣＣＨに対する符号化率の設定などの制御を送信処理部１０７に対して行なう。また、制御部１０５は、制御信号に基づき、ＰＤＣＣＨを用いて送信されるＤＣＩを生成し、送信処理部１０７に出力する。ＰＤＣＣＨを用いて送信されるＤＣＩは、下りリンクアサインメント、上りリンクグラントなどである。また、制御部１０５は、通信に用いる下りリンクコンポーネントキャリアおよび上りリンクコンポーネントキャリアを示す情報、ＰＤＳＣＨ  ＣＣとＰＤＣＣＨ  ＣＣとの対応付けを示す情報などを送信処理部１０７を介して移動局装置５にＰＤＳＣＨを用いて送信するように制御を行なう。
【００７６】
制御部１０５は、無線リソース制御部１０３から入力された制御信号に基づき、ＰＵＳＣＨに対する上りリンク物理リソースブロックの割り当て、ＰＵＣＣＨに対する上りリンク物理リソースブロックの割り当て、ＰＵＳＣＨおよびＰＵＣＣＨの変調方式の設定、ＰＵＳＣＨの符号化率の設定、ＰＵＣＣＨに対する符号の設定などの制御を受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【００７７】
送信処理部１０７は、制御部１０５から入力された制御信号に基づきＰＤＣＣＨ、ＰＤＳＣＨを用いて送信する信号を生成して、送信アンテナ１１１を介して送信する。送信処理部１０７は、無線リソース制御部１０３から入力された、キャリアアグリゲーションを用いた通信に用いる下りリンクコンポーネントキャリアおよび上りリンクコンポーネントキャリアを示す情報、ＰＤＳＣＨ  ＣＣとＰＤＣＣＨ  ＣＣとの対応付けを示す情報、上位層から入力された情報データをＰＤＳＣＨを用いて移動局装置５に対して送信し、制御部１０５から入力されたＤＣＩをＰＤＣＣＨを用いて移動局装置５に対して送信する。なお、説明の簡略化のため、以降、情報データは数種の制御に関する情報を含むものとする。送信処理部１０７の詳細については、後述する。
【００７８】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。
【００７９】
また、この図に示すように、物理下りリンク共用チャネル処理部２０１は、それぞれ、ターボ符号部２１９およびデータ変調部２２１を備える。また、この図に示すように、物理下りリンク制御チャネル処理部２０３は、畳み込み符号部２２３およびＱＰＳＫ変調部２２５を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、多重部２０７に出力する。
【００８０】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Cell specific RSとも呼称する。）を生成し、多重部２０７に出力する。
【００８１】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンク無線フレームに多重する。無線リソース制御部１０３によって設定されたＰＤＳＣＨに対する下りリンク物理リソースブロックの割り当て、ＰＤＣＣＨに対するＣＣＥの割り当てに関する制御信号が制御部１０５に入力され、その制御信号に基づき、制御部１０５は多重部２０７の処理を制御する。
【００８２】
なお、多重部２０７は、ＰＤＳＣＨとＰＤＣＣＨの多重を、図１４に示したように時間多重で行なう。また、多重部２０７は、下りリンクパイロットチャネルと、その他のチャネル間の多重は時間・周波数多重で行なう。また、多重部２０７は、各移動局装置５宛てのＰＤＳＣＨの多重を下りリンク物理リソースブロックペア単位で行ない、１つの移動局装置５に対して複数の下りリンク物理リソースブロックペアを用いてＰＤＳＣＨを多重することもある。また、多重部２０７は、各移動局装置５宛てのＰＤＣＣＨの多重を同一の下りリンクコンポーネントキャリア内の１個以上のＣＣＥを用いて行なう。多重部２０７は、多重化した信号を、ＩＦＦＴ部２０９に出力する。
【００８３】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００８４】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital; アナログディジタル変換）部３０３、コンポーネントキャリア分離部３０５、複数の上りリンクコンポーネントキャリア毎受信処理部３０７−１〜３０７−Ｍ（以下、上りリンクコンポーネントキャリア毎受信処理部３０７−１〜３０７−Ｍを上りリンクコンポーネントキャリア毎受信処理部３０７と表す）、を含んで構成される。また、この図に示すように、上りリンクコンポーネントキャリア毎受信処理部３０７は、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、および物理上りリンク制御チャネル検出部３２９を備える。なお、各上りリンクコンポーネントキャリア毎受信処理部３０７は、同様の構成および機能を有するので、その一つを代表して説明する。
【００８５】
受信ＲＦ部３０１は、受信アンテナ１０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をコンポーネントキャリア分離部３０５に出力する。コンポーネントキャリア分離部３０５は、上りリンクシステム帯域幅の上りリンクコンポーネントキャリア毎に受信信号を分離し、各上りリンクコンポーネントキャリア毎受信処理部３０７に出力する。
【００８６】
上りリンクコンポーネントキャリア毎受信処理部３０７は、上りリンクコンポーネントキャリア内のＰＵＳＣＨ、ＰＵＣＣＨの復調、復号を行ない、情報データ、ＵＣＩを検出する。
【００８７】
シンボルタイミング検出部３０９は、コンポーネントキャリア分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、コンポーネントキャリア分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【００８８】
サブキャリアデマッピング部３１５は、制御部１０５から入力された制御信号に基づき、ＦＦＴ部３１３が復調した信号を、上りリンクパイロットチャネルの上りリンク参照信号と、ＰＵＳＣＨの信号と、ＰＵＣＣＨの信号とに分離する。サブキャリアデマッピング部３１５は、分離した上りリンク参照信号を伝搬路推定部３１７に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【００８９】
伝搬路推定部３１７は、サブキャリアデマッピング部３１５が分離した上りリンク参照信号と既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【００９０】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【００９１】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【００９２】
物理上りリンク制御チャネル検出部３２９は、ＰＵＣＣＨ用の伝搬路等化部３２１から入力された信号を復調、復号し、制御情報を検出する。物理上りリンク制御チャネル検出部３２９は、送信側で用いられた符号を用いて周波数領域、および／または時間領域で符号多重されたＰＵＣＣＨの信号からＰＤＳＣＨに対する誤り結果である受信確認応答からなる制御情報（ＡＣＫ／ＮＡＣＫ）、スケジューリング要求からなる制御情報（ＳＲ）、下りリンクのチャネル品質指標からなる制御情報（ＣＱＩ）を検出する。
【００９３】
制御部１０５は、基地局装置３が、移動局装置５にＰＤＣＣＨを用いて送信した制御情報（ＤＣＩ）、及びＰＵＳＣＨを用いて送信した制御情報に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信したＰＵＳＣＨ、ＰＵＣＣＨがどのリソース（上りリンク物理リソースブロック、周波数領域の符号、時間領域の符号）に配置されているかを把握している。
【００９４】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７を含んで構成される。
【００９５】
受信処理部４０１は、基地局装置３から信号を受信し、制御部４０５の指示に従い、受信信号を復調、復号する。例えば、受信処理部４０１は、自装置宛てのＰＤＣＣＨの信号の検出を行なうＣＣＥが制御部４０５より指示される。受信処理部４０１は、異なるＰＤＳＣＨ  ＣＣに対応するＰＤＣＣＨの信号の検出を行なうＣＣＥが独立に指示される。受信処理部４０１は、自装置宛てのＰＤＣＣＨの信号を検出した場合は、ＰＤＣＣＨの信号を復号して取得したＤＣＩを制御部４０５に出力する。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、通信に用いる下りリンクコンポーネントキャリアおよび上りリンクコンポーネントキャリアを示す情報、ＰＤＳＣＨ  ＣＣとＰＤＣＣＨ  ＣＣとの対応付けを示す情報を含む。
【００９６】
また、受信処理部４０１は、ＰＤＳＣＨに含まれる巡回冗長検査（Cyclic Redundancy Check: CRC）を制御部４０５に出力する。基地局装置３の説明では省略したが、基地局装置３の送信制御部１０７は情報データからＣＲＣを生成し、情報データとＣＲＣをＰＤＳＣＨで送信する。ＣＲＣは、ＰＤＳＣＨに含まれるデータが誤っているか、誤っていないかを判断するために使われ、予め決められた生成多項式を用いてデータから生成された情報とＣＲＣが同じ場合はデータが誤っていないと判断され、予め決められた生成多項式を用いてデータから生成された情報とＣＲＣが異なる場合はデータが誤っていると判断される。受信処理部４０１の詳細については後述する。
【００９７】
制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、受信処理部４０１においてＰＤＣＣＨの信号の検出を行なうＣＣＥを自装置に設定されるＳｅａｒｃｈ  ｓｐａｃｅに基づき制御する。制御部４０５は、受信処理部４０１において自装置宛てのＰＤＣＣＨの信号が検出されるまで、Ｓｅａｒｃｈ  ｓｐａｃｅ内の全てのＣＣＥに対してＰＤＣＣＨの信号の検出を行なうように制御する。制御部４０５は、複数のＰＤＳＣＨ  ＣＣが対応付けられるＰＤＣＣＨ  ＣＣに対して複数のＳｅａｒｃｈ  ｓｐａｃｅを設定する。その際、制御部４０５は、各Ｓｅａｒｃｈ  ｓｐａｃｅを構成するＣＣＥの中で番号の最も小さいＣＣＥ間の番号の差であるオフセットを所定の処理により設定する。制御部４０５におけるオフセットの設定の詳細な説明は後述する。制御部４０５は、受信処理部４０１において各Ｓｅａｒｃｈ  ｓｐａｃｅでそのＳｅａｒｃｈ  ｓｐａｃｅと対応するＰＤＳＣＨ  ＣＣのＰＤＣＣＨの検出処理を行なうように制御する。具体的には、制御部４０５は、各ＰＤＳＣＨ  ＣＣに対応するＰＤＣＣＨの検出処理を行なうＣＣＥを受信処理部４０１に対して制御すると共に、検出処理を行なうＰＤＣＣＨのビットサイズを受信処理部４０１に対して制御する。
【００９８】
また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに基づき受信処理部４０１を制御し、検出された上りリンクグラントに基づき送信処理部４０７を制御する。また、制御部４０５は、予め決められた生成多項式を用いて受信処理部４０１より入力されたデータと受信処理部４０１より入力されたＣＲＣを比較し、データが誤っているか否かを判断する。
【００９９】
無線リソース制御部４０３は、基地局装置３の無線リソース制御部１０３で生成され、基地局装置３より通知された制御情報を保持すると共に、制御部４０５を介して受信処理部４０１、送信処理部４０７の制御を行なう。例えば、無線リソース制御部４０３は、ＰＵＣＣＨのリソースの割り当てに関する制御情報を保持し、送信処理部４０７においてＰＵＣＣＨの信号を保持したリソースを用いて送信するように制御信号を制御部４０５に出力する。
【０１００】
送信処理部４０７は、制御部４０５の指示に従い、情報データ、ＵＣＩを符号化し、変調した信号をＰＵＳＣＨ、ＰＵＣＣＨのリソースに配置して、基地局装置３に送信アンテナ４１１を介して送信する。送信処理部４０７の詳細については後述する。
【０１０１】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、および、物理下りリンク制御チャネル復号部５２１、を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【０１０２】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１０３】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１０４】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。より詳細には、多重分離部５１１は、自装置宛てのＰＤＳＣＨが配置される下りリンクリソースエレメントの信号と、自装置宛てのＰＤＣＣＨが配置されるＣＣＥの信号とに分類し、自装置宛てのＰＤＣＣＨが配置されるＣＣＥを示す制御信号が制御部４０５より入力される。また、多重分離部５１１は、下りリンクパイロットチャネルが配置される下りリンクリソースエレメントを分離し、下りリンクパイロットチャネルの下りリンク参照信号を、伝搬路推定部５１３に出力する。
【０１０５】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【０１０６】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣも制御部４０５に出力される。
【０１０７】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。ＰＤＣＣＨ用の伝搬路補償部５１９は、調整した信号を物理下りリンク制御チャネル復号部５２１のＱＰＳＫ復調部５２７に出力する。
【０１０８】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１０９】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩが下りリンクアサインメントである場合、受信処理部４０１にリソースを割り当てられた下りリンクコンポーネントキャリアでＰＤＳＣＨの信号を復号するように制御する。なお、ＰＤＣＣＨにおいてもＰＤＳＣＨと同様にＣＲＣが含まれており、制御部４０５はＣＲＣを用いてＰＤＣＣＨのＤＣＩが誤っているか否かを判断する。
【０１１０】
なお、受信処理部４０１は、ＰＤＣＣＨ  ＣＣとして設定された下りリンクコンポーネントキャリアの信号に対してＰＤＣＣＨの検出処理を行なう。制御部４０５は、多重分離部５１１に対してＰＤＣＣＨ  ＣＣである下りリンクコンポーネントキャリアを示す制御信号と、ＣＣＥを示す制御信号とを出力する。これにより、後段の物理下りリンク制御チャネル復号部５２１は、ＰＤＣＣＨ  ＣＣのＳｅａｒｃｈ  ｓｐａｃｅの信号に対してのみＰＤＣＣＨの検出処理を行なうことになる。
【０１１１】
＜移動局装置５の送信処理部４０７＞
図６は、本発明の実施形態に係る移動局装置５の送信処理部４０７の構成を示す概略ブロック図である。この図に示すように、送信処理部４０７は、複数の上りリンクコンポーネントキャリア毎送信処理部６０１−１〜６０１−Ｍ（以下、上りリンクコンポーネントキャリア毎送信処理部６０１−１〜６０１−Ｍを合わせて上りリンクコンポーネントキャリア毎送信処理部６０１と表す）、コンポーネントキャリア合成部６０３、Ｄ／Ａ部６０５、送信ＲＦ部６０７、および、送信アンテナ４１１を含んで構成される。また、この図に示すように、上りリンクコンポーネントキャリア毎送信処理部６０１は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、乗算部６２４、および、ＧＩ挿入部６２５、を備える。移動局装置５は、対応する数の上りリンクコンポーネントキャリア分の上りリンクコンポーネントキャリア毎送信処理部６０１を有する。なお、各上りリンクコンポーネントキャリア毎送信処理部６０１は、同様の構成および機能を有するので、その一つを代表して説明する。
【０１１２】
上りリンクコンポーネントキャリア毎送信処理部６０１は、情報データ、ＵＣＩに対して符号化、変調を行ない、上りリンクコンポーネントキャリア内のＰＵＳＣＨ、ＰＵＣＣＨを用いて送信する信号を生成する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。
【０１１３】
ＤＦＴ部６１５は、データ変調部６１３が出力した信号を離散フーリエ変換し、サブキャリアマッピング部６２１に出力する。物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、スケジューリング要求（ＳＲ）、下りリンクのチャネル品質指標（ＣＱＩ）、ＰＤＳＣＨに対する誤り結果である受信確認応答（ＡＣＫ／ＮＡＣＫ）である。物理上りリンク制御チャネル処理部６１９は、ベースバンド信号処理を行ない、生成した信号をサブキャリアマッピング部６２１に出力する。なお、物理上りリンク制御チャネル処理部６１９は、周波数領域で基地局装置３より決められた符号をＰＵＣＣＨの信号に乗算する。
【０１１４】
上りリンクパイロットチャネル処理部６１７は、基地局装置３において既知の信号である上りリンク参照信号を制御部４０５からの指示に基づき生成し、サブキャリアマッピング部６２１に出力する。
【０１１５】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１１６】
ＩＦＦＴ部６２３は、サブキャリアマッピング部６２１が出力した信号を高速逆フーリエ変換し、乗算部６２４に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。乗算部６２４は、制御部４０５からの指示に従ってＳＣ−ＦＤＭＡシンボル単位で直交符号を乗算して、ＧＩ挿入部６２５に出力する。ここで、制御部４０５は、ＳＲを含むＰＵＣＣＨの信号、ＡＣＫ／ＮＡＣＫを含むＰＵＣＣＨの信号に対して、予め基地局装置３より設定された直交系列の各直交符号を時間領域でＳＣ−ＦＤＭＡシンボルに乗算するように乗算部６２４を制御し、ＣＱＩを含むＰＵＣＣＨの信号、ＰＵＳＣＨの信号や上りリンク参照信号に対しては何も乗算せずに入力された信号をそのまま出力するように乗算部６２４を制御する。ＧＩ挿入部６２５は、乗算部６２４から入力された信号に、ガードインターバルを付加し、コンポーネントキャリア合成部６０３に出力する。
【０１１７】
コンポーネントキャリア合成部６０３は、各上りリンクコンポーネントキャリア毎送信処理部６０１より入力された上りリンクコンポーネントキャリア毎の信号を合成し、Ｄ／Ａ部６０５に出力する。Ｄ／Ａ部６０５は、コンポーネントキャリア合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０１１８】
＜Ｓｅａｒｃｈ  ｓｐａｃｅのオフセット＞
移動局装置５の制御部４０５におけるオフセットの設定について説明する。移動局装置５は、下りリンクコンポーネントキャリアを１個以上用いて信号の受信を行ない、ＰＤＣＣＨ  ＣＣ（第一のコンポーネントキャリア）において複数のＰＤＳＣＨ  ＣＣが対応付けられた場合、ＰＤＣＣＨ  ＣＣに複数のＳｅａｒｃｈ  ｓｐａｃｅを構成する。ＰＤＣＣＨ  ＣＣに構成される各Ｓｅａｒｃｈ  ｓｐａｃｅは、ＰＤＣＣＨ  ＣＣに対応付けられる各ＰＤＳＣＨ  ＣＣ用に用いられる。Ｓｅａｒｃｈ  ｓｐａｃｅの設定は、移動局装置５の制御部４０５が行なう。制御部４０５は、各Ｓｅａｒｃｈ  ｓｐａｃｅの中で番号の最も小さいＣＣＥ間の番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づき設定する。制御部４０５は、ＰＤＣＣＨ  ＣＣに対応付けられるＰＤＳＣＨ  ＣＣの数と１つのＳｅａｒｃｈ  ｓｐａｃｅを構成するＣＣＥの数を乗算した値を第一の値として用い、第一の値から１つのＳｅａｒｃｈ  ｓｐａｃｅを構成するＣＣＥの数を減算した値を第二の値として用い、第二の値をＰＤＣＣＨ  ＣＣに対応付けられるＰＤＳＣＨ  ＣＣの数で除算した値を第三の値として用い、１つのＳｅａｒｃｈ  ｓｐａｃｅを構成するＣＣＥの数から第三の値を減算した値に基づいてオフセットを設定する。
【０１１９】
数式（１）は、本発明のＣＣＥ  ａｇｇｒｅｇａｔｉｏｎ  ｌｅｖｅｌ毎のＳｅａｒｃｈ  ｓｐａｃｅ間のオフセット（offset）の生成式である。
【数１】
2012028956.tif 000003
・・・（１）
ここで、ＬはＣＣＥ  ａｇｇｒｅｇａｔｉｏｎ  ｌｅｖｅｌ、ＭＬはＰＤＣＣＨ  ｃａｎｄｉｄａｔｅの数、ＮＣＣはＰＤＣＣＨ  ＣＣに対応付けられるＰＤＳＣＨ  ＣＣの数、ＮＣＣＥはＰＤＣＣＨ  ＣＣのＣＣＥの数を示す。また、ＣＣＥ  ａｇｇｒｅｇａｔｉｏｎ  ｌｅｖｅｌとＰＤＣＣＨ  ｃａｎｄｉｄａｔｅの数を乗算した値（Ｌ×ＭＬ）は、１つのＳｅａｒｃｈ  ｓｐａｃｅを構成するＣＣＥの数を意味する。数式（１）では、各種パラメータを用いて計算した値の小数点を切り下げる関数を用いる。
【０１２０】
Ｓｅａｒｃｈ  ｓｐａｃｅは、各ＰＤＣＣＨ  ｃａｎｄｉｄａｔｅに用いられるＣＣＥの組み合わせをまとめた領域から構成される。数式（２）は、本発明のオフセットを用いた各Ｓｅａｒｃｈ  ｓｐａｃｅの各ＰＤＣＣＨ  ｃａｎｄｉｄａｔｅに用いられる番号の最も小さいＣＣＥを決定する式である。
【数２】
2012028956.tif 000004
・・・（２）
ここで、Ｙは自装置に割り当てられた識別子（ＲＮＴＩ）を入力パラメータの１つに用いたハッシュ関数により生成される自然数、ｍはＰＤＣＣＨ  ｃａｎｄｉｄａｔｅの番号、ｊはＰＤＳＣＨ  ＣＣ毎に設定される０を含む自然数を示す。各ＰＤＣＣＨ  ｃａｎｄｉｄａｔｅは、数式（２）により決定された番号のＣＣＥからＣＣＥ  ａｇｇｒｅｇａｔｉｏｎ  ｌｅｖｅｌの値だけ連続するＣＣＥを用いてＢｌｉｎｄ  ｄｅｃｏｄｉｎｇを行なう。
【０１２１】
ＰＤＣＣＨ  ＣＣと下りリンクコンポーネントキャリアが同じＰＤＳＣＨ  ＣＣのＳｅａｒｃｈ  ｓｐａｃｅに対しては、ｊは０が設定される。ｊは、ＰＤＣＣＨ  ＣＣに対応付けられるＰＤＳＣＨ  ＣＣの数より小さい値が用いられる。例えば、ＰＤＣＣＨ  ＣＣに対応付けられるＰＤＳＣＨ  ＣＣの数が４個の場合について説明する。ここでは、ＰＤＣＣＨ  ＣＣと下りリンクコンポーネントキャリアが同じＰＤＳＣＨ  ＣＣをＰＤＳＣＨ  ＣＣ０と定義し、ＰＤＣＣＨ  ＣＣと下りリンクコンポーネントキャリアが異なる３個のＰＤＳＣＨ  ＣＣをＰＤＳＣＨ  ＣＣ１、ＰＤＳＣＨ  ＣＣ２、ＰＤＳＣＨ  ＣＣ３と定義する。ＰＤＳＣＨ  ＣＣ０のＳｅａｒｃｈ  ｓｐａｃｅに対しては、ｊは０が設定される。ＰＤＳＣＨ  ＣＣ１、ＰＤＳＣＨ  ＣＣ２、ＰＤＳＣＨ  ＣＣ３のＳｅａｒｃｈ  ｓｐａｃｅに対しては、ＰＤＣＣＨ  ＣＣに対応付けられるＰＤＳＣＨ  ＣＣの数より小さい値、３、２、１の何れかがｊに設定される。例えば、ＰＤＳＣＨ  ＣＣ１に対してはｊは１、ＰＤＳＣＨ  ＣＣ２に対してはｊは２、ＰＤＳＣＨ  ＣＣ３に対してはｊは３が設定されてもよい。
【０１２２】
また、ｊはキャリアインディケータの値から求められてもよい。なお、ＰＤＣＣＨ  ＣＣと下りリンクコンポーネントキャリアが同じＰＤＳＣＨ  ＣＣのＳｅａｒｃｈ  ｓｐａｃｅに対しては、キャリアインディケータの値に依存せずにｊは０が設定される。キャリアインディケータは、ＰＤＣＣＨが何れのＰＤＳＣＨ  ＣＣのＰＤＳＣＨに対する下りリンクアサインメントかを示す。例えば、キャリアインディケータは３ビットから構成される。３ビットにより示される、キャリアインディケータの各値が何れのＰＤＳＣＨ  ＣＣと対応するかは予め設定される。また、“０００”により示されるキャリアインディケータは、ＰＤＣＣＨがＰＤＣＣＨ  ＣＣと下りリンクコンポーネントキャリアが同じＰＤＳＣＨ  ＣＣのＰＤＳＣＨに対する下りリンクアサインメントであることを示す。各ＰＤＳＣＨ  ＣＣに対応するＳｅａｒｃｈ  ｓｐａｃｅに設定されるｊの値は、使用される可能性のあるキャリアインディケータの値の中で、各ＰＤＳＣＨ  ＣＣに対応付けられたキャリアインディケータの値の大きさの順位により決定されてもよい。２進数から１０進数に変換されて、キャリアインディケータの値の大きさの順位付けが行なわれる。例えば、ＰＤＣＣＨ  ＣＣに対応付けられるＰＤＳＣＨ  ＣＣの数が４個の場合について説明する。上記の説明で用いたように、ここでは、ＰＤＣＣＨ  ＣＣと下りリンクコンポーネントキャリアが同じＰＤＳＣＨ  ＣＣをＰＤＳＣＨ  ＣＣ０と定義し、ＰＤＣＣＨ  ＣＣと下りリンクコンポーネントキャリアが異なる３個のＰＤＳＣＨ  ＣＣをＰＤＳＣＨ  ＣＣ１、ＰＤＳＣＨ  ＣＣ２、ＰＤＳＣＨ  ＣＣ３と定義する。対応付けられるキャリアインディケータの値として、ＰＤＳＣＨ  ＣＣ１に“００１”、ＰＤＳＣＨ  ＣＣ２に“０１１”、ＰＤＳＣＨ  ＣＣ３に“１０１”が設定される場合について説明する。キャリアインディケータの値を２進数から１０進数に変換すると、ＰＤＳＣＨ  ＣＣ１に対応付けられたキャリアインディケータは１、ＰＤＳＣＨ  ＣＣ２に対応付けられたキャリアインディケータは３、ＰＤＳＣＨ  ＣＣ３に対応付けられたキャリアインディケータは５となる。キャリアインディケータの値の大きさが小さいＰＤＳＣＨ  ＣＣから順に順位付けを行なうと、１番目がＰＤＳＣＨ  ＣＣ１、２番目がＰＤＳＣＨ  ＣＣ２、３番目がＰＤＳＣＨ  ＣＣ３となる。この順位をｊとして用い、ＰＤＳＣＨ  ＣＣ１のＳｅａｒｃｈ  ｓｐａｃｅに対してはｊは１、ＰＤＳＣＨ  ＣＣ２のＳｅａｒｃｈ  ｓｐａｃｅに対してはｊは２、ＰＤＳＣＨ  ＣＣ３のＳｅａｒｃｈ  ｓｐａｃｅに対してはｊは３が設定される。
【０１２３】
次に、本発明のオフセットにより設定されるＳｅａｒｃｈ  ｓｐａｃｅの一例について説明する。１個のＰＤＣＣＨ  ＣＣに４個のＰＤＳＣＨ  ＣＣ（ＰＤＳＣＨ  ＣＣ０、ＰＤＳＣＨ  ＣＣ１、ＰＤＳＣＨ  ＣＣ２、ＰＤＳＣＨ  ＣＣ３）が対応付けられる場合について説明する。なお、ＰＤＣＣＨ  ＣＣとＰＤＳＣＨ  ＣＣ０は同じ下りリンクコンポーネントキャリアである。また、ＰＤＣＣＨ  ＣＣのＣＣＥの数が２０個（ＣＣＥ０、ＣＣＥ１、ＣＣＥ２、ＣＣＥ３、ＣＣＥ４、ＣＣＥ５、ＣＣＥ６、ＣＣＥ７、ＣＣＥ８、ＣＣＥ９、ＣＣＥ１０、ＣＣＥ１１、ＣＣＥ１２、ＣＣＥ１３、ＣＣＥ１４、ＣＣＥ１５、ＣＣＥ１６、ＣＣＥ１７、ＣＣＥ１８、ＣＣＥ１９）の場合について説明する。また、ＣＣＥ  ａｇｇｒｅｇａｔｉｏｎ  ｌｅｖｅｌは、ＣＣＥ  ａｇｇｒｅｇａｔｉｏｎ  ｌｅｖｅｌ１、ＣＣＥ  ａｇｇｒｅｇａｔｉｏｎ  ｌｅｖｅｌ２、ＣＣＥ  ａｇｇｒｅｇａｔｉｏｎ  ｌｅｖｅｌ４のそれぞれの場合について説明する。また、ＰＤＣＣＨ  ｃａｎｄｉｄａｔｅの数は、ＣＣＥ  ａｇｇｒｅｇａｔｉｏｎ  ｌｅｖｅｌ１において６個、ＣＣＥ  ａｇｇｒｅｇａｔｉｏｎ  ｌｅｖｅｌ２において６個、ＣＣＥ  ａｇｇｒｅｇａｔｉｏｎ  ｌｅｖｅｌ４において２個の場合について説明する。また、数式（２）においてＹの値が０の場合について説明する。
【０１２４】
ＰＤＣＣＨ  ｃａｎｄｉｄａｔｅの数に基づき、ＣＣＥ  ａｇｇｒｅｇａｔｉｏｎ  ｌｅｖｅｌ毎の１つのＳｅａｒｃｈ  ｓｐａｃｅを構成するＣＣＥの数は以下のようになる。ＣＣＥ  ａｇｇｅｒｇａｔｉｏｎ  ｌｅｖｅｌ１の１つのＳｅａｒｃｈ  ｓｐａｃｅを構成するＣＣＥの数が６個、ＣＣＥ  ａｇｇｅｒｇａｔｉｏｎ  ｌｅｖｅｌ２の１つＳｅａｒｃｈ  ｓｐａｃｅを構成するＣＣＥの数が１２個、ＣＣＥ  ａｇｇｅｒｇａｔｉｏｎ  ｌｅｖｅｌ４の１つＳｅａｒｃｈ  ｓｐａｃｅを構成するＣＣＥの数が８個となる。数式（１）に記載の式に基づき、ＣＣＥ  ａｇｇｒｅｇａｔｉｏｎ  ｌｅｖｅｌ１のオフセットは５、ＣＣＥ  ａｇｇｒｅｇａｔｉｏｎ  ｌｅｖｅｌ２のオフセットは２、ＣＣＥ  ａｇｇｒｅｇａｔｉｏｎ  ｌｅｖｅｌ４のオフセットは１となる。
【０１２５】
次に、以上のオフセットと数式（２）に記載の式に基づき構成されるＳｅａｒｃｈ  ｓｐａｃｅについて説明する。なお、数式（２）において、ＰＤＳＣＨ  ＣＣ０に対するＳｅａｒｃｈ  ｓｐａｃｅにおいてｊは０、ＰＤＳＣＨ  ＣＣ１に対するＳｅａｒｃｈ  ｓｐａｃｅにおいてｊは１、ＰＤＳＣＨ  ＣＣ２に対するＳｅａｒｃｈ  ｓｐａｃｅにおいてｊは２、ＰＤＳＣＨ  ＣＣ３に対するＳｅａｒｃｈ  ｓｐａｃｅにおいてｊは３が設定されるものとする。図７は、本発明の実施形態に係る移動局装置５のＣＣＥ  ａｇｇｒｅｇａｔｉｏｎ  ｌｅｖｅｌ１の各ＰＤＳＣＨ  ＣＣに対するＳｅａｒｃｈ  ｓｐａｃｅの設定例を示す図である。ＰＤＳＣＨ  ＣＣ０のＳｅａｒｃｈ  ｓｐａｃｅはＣＣＥ０、ＣＣＥ１、ＣＣＥ２、ＣＣＥ３、ＣＣＥ４、ＣＣＥ５から構成され、ＰＤＳＣＨ  ＣＣ１のＳｅａｒｃｈ  ｓｐａｃｅはＣＣＥ５、ＣＣＥ６、ＣＣＥ７、ＣＣＥ８、ＣＣＥ９、ＣＣＥ１０から構成され、ＰＤＳＣＨ  ＣＣ２のＳｅａｒｃｈ  ｓｐａｃｅはＣＣＥ１０、ＣＣＥ１１、ＣＣＥ１２、ＣＣＥ１３、ＣＣＥ１４、ＣＣＥ１５から構成され、ＰＤＳＣＨ  ＣＣ３のＳｅａｒｃｈ  ｓｐａｃｅはＣＣＥ１５、ＣＣＥ１６、ＣＣＥ１７、ＣＣＥ１８、ＣＣＥ１９、ＣＣＥ０から構成される。図７に示すように、各ＰＤＳＣＨ  ＣＣのＳｅａｒｃｈ  ｓｐａｃｅに対して、Ｓｅａｒｃｈ  ｓｐａｃｅが重複する異なるＰＤＳＣＨ  ＣＣの数と重複するＣＣＥの数が分散される。
【０１２６】
図８は、本発明の実施形態に係る移動局装置５のＣＣＥ  ａｇｇｒｅｇａｔｉｏｎ  ｌｅｖｅｌ２の各ＰＤＳＣＨ  ＣＣに対するＳｅａｒｃｈ  ｓｐａｃｅの設定例を示す図である。ＰＤＳＣＨ  ＣＣ０のＳｅａｒｃｈ  ｓｐａｃｅはＣＣＥ０、ＣＣＥ１、ＣＣＥ２、ＣＣＥ３、ＣＣＥ４、ＣＣＥ５、ＣＣＥ６、ＣＣＥ７、ＣＣＥ８、ＣＣＥ９、ＣＣＥ１０、ＣＣＥ１１から構成され、ＰＤＳＣＨ  ＣＣ１のＳｅａｒｃｈ  ｓｐａｃｅはＣＣＥ４、ＣＣＥ５、ＣＣＥ６、ＣＣＥ７、ＣＣＥ８、ＣＣＥ９、ＣＣＥ１０、ＣＣＥ１１、ＣＣＥ１２、ＣＣＥ１３、ＣＣＥ１４、ＣＣＥ１５から構成され、ＰＤＳＣＨ  ＣＣ２のＳｅａｒｃｈ  ｓｐａｃｅはＣＣＥ８、ＣＣＥ９、ＣＣＥ１０、ＣＣＥ１１、ＣＣＥ１２、ＣＣＥ１３、ＣＣＥ１４、ＣＣＥ１５、ＣＣＥ１６、ＣＣＥ１７、ＣＣＥ１８、ＣＣＥ１９から構成され、ＰＤＳＣＨ  ＣＣ３のＳｅａｒｃｈ  ｓｐａｃｅはＣＣＥ１２、ＣＣＥ１３、ＣＣＥ１４、ＣＣＥ１５、ＣＣＥ１６、ＣＣＥ１７、ＣＣＥ１８、ＣＣＥ１９、ＣＣＥ０、ＣＣＥ１、ＣＣＥ２、ＣＣＥ３から構成される。図８に示すように、各ＰＤＳＣＨ  ＣＣのＳｅａｒｃｈ  ｓｐａｃｅに対して、Ｓｅａｒｃｈ  ｓｐａｃｅが重複する異なるＰＤＳＣＨ  ＣＣの数と重複するＣＣＥの数が分散される。
【０１２７】
図９は、本発明の実施形態に係る移動局装置５のＣＣＥ  ａｇｇｒｅｇａｔｉｏｎ  ｌｅｖｅｌ４の各ＰＤＳＣＨ  ＣＣに対するＳｅａｒｃｈ  ｓｐａｃｅの設定例を示す図である。ＰＤＳＣＨ  ＣＣ０のＳｅａｒｃｈ  ｓｐａｃｅはＣＣＥ０、ＣＣＥ１、ＣＣＥ２、ＣＣＥ３、ＣＣＥ４、ＣＣＥ５、ＣＣＥ６、ＣＣＥ７から構成され、ＰＤＳＣＨ  ＣＣ１のＳｅａｒｃｈ  ｓｐａｃｅはＣＣＥ４、ＣＣＥ５、ＣＣＥ６、ＣＣＥ７、ＣＣＥ８、ＣＣＥ９、ＣＣＥ１０、ＣＣＥ１１から構成され、ＰＤＳＣＨ  ＣＣ２のＳｅａｒｃｈ  ｓｐａｃｅはＣＣＥ８、ＣＣＥ９、ＣＣＥ１０、ＣＣＥ１１、ＣＣＥ１２、ＣＣＥ１３、ＣＣＥ１４、ＣＣＥ１５から構成され、ＰＤＳＣＨ  ＣＣ３のＳｅａｒｃｈ  ｓｐａｃｅはＣＣＥ１２、ＣＣＥ１３、ＣＣＥ１４、ＣＣＥ１５、ＣＣＥ１６、ＣＣＥ１７、ＣＣＥ１８、ＣＣＥ１９から構成される。図８に示すように、各ＰＤＳＣＨ  ＣＣのＳｅａｒｃｈ  ｓｐａｃｅに対して、Ｓｅａｒｃｈ  ｓｐａｃｅが重複する異なるＰＤＳＣＨ  ＣＣの数と重複するＣＣＥの数が分散される。
【０１２８】
なお、数式（１）に記載の式では、各種パラメータを用いて計算した値の小数点を切り下げる関数を用いているが、各種パラメータを用いて計算した値の小数点を切り上げる関数を用いてオフセットが設定されるようにしてもよい。
【０１２９】
図１０は、本発明の実施形態に係る移動局装置５の各ＰＤＣＣＨ  ＣＣのＳｅａｒｃｈ  ｓｐａｃｅの設定に関する処理の一例を示すフローチャートである。移動局装置５の制御部４０５は、ＰＤＣＣＨ  ＣＣに複数のＰＤＳＣＨ  ＣＣが対応付けられているか否かを判定する（ステップＳ１０１）。制御部４０５は、ＰＤＣＣＨ  ＣＣに複数のＰＤＳＣＨ  ＣＣが対応付けられている判定した場合（ステップＳ１０１：YES）、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定する（ステップＳ１０２）。制御部４０５は、オフセットを設定した後、設定したオフセットに基づき、複数のＳｅａｒｃｈ  ｓｐａｃｅを設定する（ステップＳ１０３）。一方、制御部４０５は、ＰＤＣＣＨ  ＣＣに複数のＰＤＳＣＨ  ＣＣが対応付けられていないと判定した場合（ステップＳ１０１：NO）、１つのＳｅａｒｃｈ  ｓｐａｃｅを設定する（ステップＳ１０４）。
【０１３０】
以上のように、本発明の実施形態では、移動局装置５は、ＰＤＣＣＨ  ＣＣに複数のＰＤＳＣＨ  ＣＣが対応付けられた場合、言い換えると、ＰＤＣＣＨ  ＣＣに複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定して、設定したオフセットを用いることにより、ＰＤＣＣＨを検索する領域であるＳｅａｒｃｈ  ｓｐａｃｅを適切に設定することができる。より詳細には、本発明の移動局装置５は、ＰＤＣＣＨ  ＣＣと対応付けられるＰＤＳＣＨ  ＣＣの数（ＰＤＣＣＨ  ＣＣにおいて構成されるＳｅａｒｃｈ  ｓｐａｃｅの数）と１つのＳｅａｒｃｈ  ｓｐａｃｅを構成するＣＣＥの数を乗算した値を第一の値として用い、第一の値から１つのＳｅａｒｃｈ  ｓｐａｃｅを構成するＣＣＥの数を減算した値を第二の値として用い、第二の値をＰＤＣＣＨ  ＣＣに対応付けられるＰＤＳＣＨ  ＣＣの数で除算した値を第三の値として用い、１つのＳｅａｒｃｈ  ｓｐａｃｅを構成するＣＣＥの数から第三の値を減算した値に基づいてオフセットを設定し、設定したオフセットを用いることにより、ＰＤＣＣＨを検索する領域であるＳｅａｒｃｈ  ｓｐａｃｅを適切に設定することができる。本発明により、各Ｓｅａｒｃｈ  ｓｐａｃｅにおいて他のＳｅａｒｃｈ  ｓｐａｃｅと重複するＣＣＥの数を分散させることができる。これにより、各Ｓｅａｒｃｈ  ｓｐａｃｅと対応するＰＤＳＣＨ  ＣＣ間でＰＤＳＣＨのリソースの割り当ての柔軟性に著しい不均衡が生じることを回避することができ、基地局装置３の総合的なスケジューリングの複雑さが上昇することを抑えることができる。本発明により、基地局装置３は適切なスケジューリングを実行することができる。
【０１３１】
また、本発明の実施形態では、制御部４０５におけるオフセットの設定に関してＰＤＣＣＨ  ＣＣに対応付けられるＰＤＳＣＨ  ＣＣの数を用いた場合について示したが、ＰＤＣＣＨ  ＣＣと対応付けられたＰＤＳＣＨ  ＣＣの中で移動局装置５の受信動作が行なわれる状態のＰＤＳＣＨ  ＣＣの数を用いるようにしてもよい。基地局装置３より構成された下りリンクコンポーネントキャリアに対して受信動作のオン・オフを制御する技術をＣＣ  ａｃｔｉｖａｔｉｏｎ／ｄｅａｃｔｉｖａｔｉｏｎと称す。ＣＣをＡｃｔｉｖｅ状態（受信動作がオンの状態）に設定するか、Ｄｅａｃｔｉｖｅ状態（受信動作がオフの状態）にするかの設定は、専用のコマンド（Ａｃｔｉｖａｔｉｏｎ  ｃｏｍｍａｎｄ）でなされたり、タイマー制御によりなされたりすることができる。タイマー制御の一例について説明する。Ａｃｔｉｖｅ状態のＣＣにおいて、タイマーにより計測される一定期間内にＰＤＣＣＨが検出されない場合、Ｄｅａｃｔｉｖｅ状態のＣＣに遷移し、受信動作はオンからオフに切り替えられる。なお、Ａｃｔｉｖｅ状態のＣＣをＡｃｔｉｖｅ  ＣＣ、Ａｃｔｉｖａｔｅｄ  ＣＣと呼称する。なお、Ｄｅａｃｔｉｖｅ状態のＣＣをＤｅａｃｔｉｖｅ  ＣＣ、Ｄｅａｃｔｉｖａｔｅｄ  ＣＣと呼称する。
【０１３２】
また、本発明の実施形態では、制御部４０５におけるオフセットの設定に関してＰＤＣＣＨ  ＣＣに対応付けられるＰＤＳＣＨ  ＣＣの数を用いた場合について示したが、ＰＤＣＣＨ  ＣＣに対応付けられるＰＤＳＣＨ  ＣＣの数ではなく、ＰＤＣＣＨ  ＣＣと対応付けられるＰＵＳＣＨ  ＣＣ（物理上りリンク共用チャネルコンポーネントキャリア）の数を用いてオフセットが設定されてもよい。ここで、ＰＵＳＣＨ  ＣＣは、ＰＵＳＣＨが配置されるＵＬ  ＣＣを意味する。ここで、ＰＤＣＣＨ  ＣＣとＰＵＳＣＨ  ＣＣの対応付けとは、ＰＵＳＣＨ  ＣＣに配置されるＰＵＳＣＨのリソースの割り当てに関する制御情報（上りリンクグラント）を含むＰＤＣＣＨが、ＰＵＳＣＨ  ＣＣと対応付けられたＰＤＣＣＨ  ＣＣに配置されることを意味する。より詳細には、ＰＤＣＣＨ  ＣＣとＰＵＳＣＨ  ＣＣの対応付けとは、ＰＵＳＣＨ  ＣＣに配置されるＰＵＳＣＨに対応する上りリンクグラントであって、キャリアインディケータも構成される上りリンクグラントを含むＰＤＣＣＨがＰＵＳＣＨ  ＣＣと対応付けられたＰＤＣＣＨ  ＣＣに配置されることを意味する。なお、ＰＤＳＣＨ  ＣＣに対応するＳｅａｒｃｈ  ｓｐａｃｅを構成する複数のＣＣＥとＰＵＳＣＨ  ＣＣに対応するＳｅａｒｃｈ  ｓｐａｃｅを構成する複数のＣＣＥが共通であってもよいし、異なってもよい。
【０１３３】
また、移動局装置５とは、移動する端末に限らず、固定端末に移動局装置５の機能を実装することなどにより本発明を実現しても良い。
【０１３４】
また、本発明の実施形態では、移動局装置５が１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定する場合について説明したが、その他の情報が付加的に用いられてもよい。本発明の移動局装置５は、少なくとも、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定することを特徴とする。
【０１３５】
＜変形例＞
また、制御部４０５が設定するオフセットの値を、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きいか否かに応じて異なる値に設定してもよい。制御部４０５は、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きい場合、ＰＤＣＣＨ  ＣＣと対応付けられるＰＤＳＣＨ  ＣＣの数（ＰＤＣＣＨ  ＣＣにおいて構成されるＳｅａｒｃｈ  ｓｐａｃｅの数）と１つのＳｅａｒｃｈ  ｓｐａｃｅを構成するＣＣＥの数を乗算した値を第一の値として用い、第一の値から１つのＳｅａｒｃｈ  ｓｐａｃｅを構成するＣＣＥの数を減算した値を第二の値として用い、第二の値をＰＤＣＣＨ  ＣＣに対応付けられるＰＤＳＣＨ  ＣＣの数で除算した値を第三の値として用い、１つのＳｅａｒｃｈ  ｓｐａｃｅを構成するＣＣＥの数から第三の値を減算した値に基づいてオフセットを設定し、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数以下の場合、Ｓｅａｒｃｈ  ｓｐａｃｅを構成するＣＣＥの数に基づいてオフセットを設定する。
【０１３６】
より詳細には、制御部４０５は、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きい場合、数式（１）に記載の式に基づいてオフセットを設定する。制御部４０５は、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数以下の場合、Ｓｅａｒｃｈ  ｓｐａｃｅを構成するＣＣＥの数をＣＣＥ  ａｇｇｒｅｇａｔｉｏｎ  ｌｅｖｅｌの値で除算した値、つまりＰＤＣＣＨ  ｃａｎｄｉｄａｔｅの数をオフセットとして設定する。そして、制御部４０５は、設定したオフセットを用いて数式（２）に記載の式に基づいて各ＰＤＳＣＨ  ＣＣに対するＳｅａｒｃｈ  ｓｐａｃｅを設定する。
【０１３７】
図１１は、本発明の実施形態に係る移動局装置５の各ＰＤＣＣＨ  ＣＣのＳｅａｒｃｈ  ｓｐａｃｅの設定に関する処理の一例を示すフローチャートである。移動局装置５の制御部４０５は、ＰＤＣＣＨ  ＣＣに複数のＰＤＳＣＨ  ＣＣが対応付けられているか否かを判定する（ステップＴ１０１）。制御部４０５は、ＰＤＣＣＨ  ＣＣに複数のＰＤＳＣＨ  ＣＣが対応付けられている判定した場合（ステップＴ１０１：YES）、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きいか否かを判定する（ステップＴ１０２）。制御部４０５は、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きいと判定した場合（ステップＴ１０２:YES）、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定する（ステップＴ１０３）。制御部４０５は、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きくないと判定した場合（ステップＴ１０２:NO）、１つのＳｅａｒｃｈ  ｓｐａｃｅを構成するＣＣＥの数に基づきオフセットを設定する（ステップＴ１０４）。制御部４０５は、オフセットを設定した後、設定したオフセットに基づき、複数のＳｅａｒｃｈ  ｓｐａｃｅを設定する（ステップＳ１０５）。一方、制御部４０５は、ＰＤＣＣＨ  ＣＣに複数のＰＤＳＣＨ  ＣＣが対応付けられていないと判定した場合（ステップＴ１０１：NO）、１つのＳｅａｒｃｈ  ｓｐａｃｅを設定する（ステップＴ１０６）。
【０１３８】
以上のように、本発明の実施形態の変形例では、移動局装置５は、ＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数より大きいか否かに応じて異なる値に設定することにより、ＰＤＣＣＨ  ＣＣに配置されるＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数よりも大きい場合に、各Ｓｅａｒｃｈ  ｓｐａｃｅ間で重複するＣＣＥの数が分散されるようなオフセットに設定することができ、基地局装置３のＰＤＣＣＨのスケジューリングの複雑さを低減することができ、ＰＤＣＣＨ  ＣＣに配置されるＳｅａｒｃｈ  ｓｐａｃｅにおける各Ｓｅａｒｃｈ  ｓｐａｃｅを構成するＣＣＥの数の総和がＰＤＣＣＨ  ＣＣのＣＣＥの数以下の場合に、各Ｓｅａｒｃｈ  ｓｐａｃｅが連続するＣＣＥから構成されるようなオフセットに設定することができ、シンプルなＳｅａｒｃｈ  ｓｐａｃｅ設定を実現することができる。
【０１３９】
また、制御部４０５がＰＤＣＣＨ  ＣＣに配置される全てのＰＤＳＣＨ  ＣＣのＳｅａｒｃｈ  ｓｐａｃｅにおける各Ｓｅａｒｃｈ  ｓｐａｃｅを構成するＣＣＥの数の総和とＰＤＣＣＨ  ＣＣのＣＣＥの数を比較して、比較した結果に基づいて用いるオフセットを設定するのではなく、ＰＤＣＣＨ  ＣＣと対応付けられるＰＤＳＣＨ  ＣＣの数と１つのＳｅａｒｃｈ  ｓｐａｃｅを構成するＣＣＥの数を乗算した値を第一の値として用い、第一の値から１つのＳｅａｒｃｈ  ｓｐａｃｅを構成するＣＣＥの数を減算した値を第二の値として用い、第二の値をＰＤＣＣＨ  ＣＣに対応付けられるＰＤＳＣＨ  ＣＣの数で除算した値を第三の値として用い、１つのＳｅａｒｃｈ  ｓｐａｃｅを構成するＣＣＥの数から第三の値を減算した値に基づく値と、Ｓｅａｒｃｈ  ｓｐａｃｅを構成するＣＣＥの数に基づく値とを比較して、値の小さい方をオフセットに設定するようにしてもよい。より詳細には、制御部４０５は、数式（１）に記載の式に基づいて計算される値と、Ｓｅａｒｃｈ  ｓｐａｃｅを構成するＣＣＥの数をＣＣＥ  ａｇｇｒｅｇａｔｉｏｎ  ｌｅｖｅｌの値で除算した値、つまりＰＤＣＣＨ  ｃａｎｄｉｄａｔｅの数とを比較して、値の小さい方をオフセットに設定してもよい。
【０１４０】
なお、ＰＤＣＣＨ  ＣＣに配置される複数のＰＤＳＣＨ  ＣＣそれぞれに対するＳｅａｒｃｈ  ｓｐａｃｅを複数のＰＤＳＣＨ  ＣＣが共有してもよい。例えば、１個のＰＤＣＣＨ  ＣＣに３個のＰＤＳＣＨ  ＣＣ（ＰＤＳＣＨ  ＣＣ１、ＰＤＳＣＨ  ＣＣ２、ＰＤＳＣＨ  ＣＣ３）が対応付けられる場合に、ＰＤＳＣＨ  ＣＣ１に対するＳｅａｒｃｈ  ｓｐａｃｅとＰＤＳＣＨ  ＣＣ２に対するＳｅａｒｃｈ  ｓｐａｃｅをＰＤＳＣＨ  ＣＣ１とＰＤＳＣＨ  ＣＣ２で共有してもよい。この場合には、ＰＤＳＣＨ  ＣＣ１に配置されるＰＤＳＣＨに対するＰＤＣＣＨおよびＰＤＳＣＨ  ＣＣ２に配置されるＰＤＳＣＨに対するＰＤＣＣＨは、ＰＤＳＣＨ  ＣＣ１に対するＳｅａｒｃｈ  ｓｐａｃｅとＰＤＳＣＨ  ＣＣ２に対するＳｅａｒｃｈ  ｓｐａｃｅのどちらのＳｅａｒｃｈ  ｓｐａｃｅに配置されてもよい。
【０１４１】
以上説明した本発明の特徴的な手段は、集積回路に機能を実装し、制御することによっても実現することができる。すなわち、本発明の集積回路は、移動局装置５に実装されることにより、移動局装置５に複数の機能を発揮させる集積回路であって、予め定められた周波数帯域幅を有するコンポーネントキャリアを１個以上用いて信号の受信を行なう機能と、第一のコンポーネントキャリアにおいて複数のコンポーネントキャリアに対する下りリンク制御チャネルを受信する機能と、前記第一のコンポーネントキャリアにおいて、前記下りリンク制御チャネルの復号を行なう複数個の制御チャネルエレメントからなる領域である検索領域を複数のコンポーネントキャリアに対して構成する機能と、各検索領域を構成する制御チャネルエレメントの中で番号の最も小さい制御チャネルエレメント間の番号の差であるオフセットを、少なくとも、１つの検索領域を構成する制御チャネルエレメントの数、前記第一のコンポーネントキャリアの制御チャネルエレメントの数、前記第一のコンポーネントキャリアにおいて対応する検索領域が配置されるコンポーネントキャリアの数に基づき設定する機能と、設定された複数の前記検索領域において自装置宛ての下りリンク制御チャネルの復号を行なう機能と、を含む一連の機能を、移動局装置５に発揮させることを特徴とする。
【０１４２】
このように、本発明の集積回路を用いた移動局装置５は、ＰＤＣＣＨ  ＣＣに複数のＰＤＳＣＨ  ＣＣが対応付けられた場合、言い換えると、ＰＤＣＣＨ  ＣＣに複数のＳｅａｒｃｈ  ｓｐａｃｅを構成する場合、各Ｓｅａｒｃｈ  ｓｐａｃｅを構成するＣＣＥの中で番号の最も小さいＣＣＥの番号の差であるオフセットを、１つのＳｅａｒｃｈ  ｓｐａｃｅを構成するＣＣＥの数、ＰＤＣＣＨ  ＣＣのＣＣＥの数、ＰＤＣＣＨ  ＣＣに対応付けられるＰＤＳＣＨ  ＣＣの数に基づきオフセットを設定して、設定したオフセットを用いることにより、ＰＤＣＣＨを検索する領域であるＳｅａｒｃｈ  ｓｐａｃｅを適切に設定することができる。
【０１４３】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４４】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１４５】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１４６】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  コンポーネントキャリア分離部
３０７  上りリンクコンポーネントキャリア毎受信処理部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
６０１  上りリンクコンポーネントキャリア毎送信処理部
６０３  コンポーネントキャリア合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２４  乗算部
６２５  ＧＩ挿入部
【図１】
2012028956.tif 000005
【図２】
2012028956.tif 000006
【図３】
2012028956.tif 000007
【図４】
2012028956.tif 000008
【図５】
2012028956.tif 000009
【図６】
2012028956.tif 000010
【図７】
2012028956.tif 000011
【図８】
2012028956.tif 000012
【図９】
2012028956.tif 000013
【図１０】
2012028956.tif 000014
【図１１】
2012028956.tif 000015
【図１２】
2012028956.tif 000016
【図１３】
2012028956.tif 000017
【図１４】
2012028956.tif 000018
【図１５】
2012028956.tif 000019
【図１６】
2012028956.tif 000020
【図１７】
2012028956.tif 000021
【図１８】
2012028956.tif 000022
【図１９】
2012028956.tif 000023